(57)【特許請求の範囲】
【請求項１】
各表示部に画像を表示可能な第１表示装置および第２表示装置と、
前記各表示部に画像を表示するように前記第１表示装置および第２表示装置を制御する表示制御手段とを備え、
前記第１表示装置および第２表示装置は各表示部が並んだ状態で相対的に可動可能に構成され、
前記各表示部に個々に表示された複数の画像によって一連の画像が形成されるように、前記表示制御手段で前記第１表示装置および第２表示装置を制御するよう構成され、
駆動機構によって前記第１表示装置の前側を、該第１表示装置の第１表示部の縁部側の第１位置および該第１位置から離間した第２位置との間で往復移動される可動台に、前記第２表示装置が、該可動台の移動方向と交差すると共に前記第１表示部に沿う方向に延在する軸回りに回動可能に支持され、該第２表示装置は前側に臨む第２表示部に画像を表示可能に構成され、
前記可動台の第１位置において該可動台に対して前記第２表示装置を、第２表示部が第１表示部に沿う第１姿勢と第１表示部の前方を向くように傾斜する第２姿勢との間を傾動させる傾動機構と、
前記可動台を第１位置および第２位置の間で案内する第１案内レールと、
前記可動台の第２位置から第１位置に向けて前記第１案内レールと平行に延在する第２案内レールと、
前記可動台に対する第２表示装置の支持部から離間して該第２表示装置に設けられ、前記第２案内レールに係合可能な規制部とを備え、
前記第２表示装置は、前記可動台の第１位置では前記規制部が前記第２案内レールから離間して可動台に対する傾動が許容され、前記可動台が第１位置から離れた後に前記規制部が第２案内レールに係合案内されることで可動台に対する傾動が規制されるよう構成され、
前記傾動機構は、前記可動台の第１位置において前記第２表示装置に設けられた係合部に係合して該第２表示装置を第１姿勢と第２姿勢との間で傾動させる作動部材と、前記作動部材の動作に連動する規制部材とを備え、
前記規制部材は、前記作動部材が前記第２表示装置を第２姿勢に傾動する動作に連動して前記規制部の第２位置側に臨んで前記可動台の第２位置への移動を規制すると共に、前記作動部材が前記第２表示装置を第１姿勢に傾動する動作に連動して前記規制部の第２位置側から退避して前記可動台の第２位置への移動を許容するよう構成される
ことを特徴とする遊技機。
【発明の詳細な説明】
【技術分野】
【０００１】
本発明は、画像を表示可能な表示装置を備えた遊技機に関するものである。
【背景技術】
【０００２】
代表的な遊技機であるパチンコ機は、機内にセットされる遊技盤の盤面に画成した遊技領域の略中央位置に枠状の枠状装飾体(所謂センター役物)が配設されて、該枠状装飾体の窓口を介して複数の図柄を変動表示する液晶式やドラム式等の図柄表示装置(表示装置)を後方から臨ませると共に、該遊技盤における枠状装飾体の下方位置に、パチンコ球(遊技球)の入賞により図柄表示装置での図柄変動を開始させる始動入賞装置(始動入賞手段)や大当り時等に開放する特別入賞装置を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされ、該図柄表示装置に図柄が所定の組み合わせで停止することにより所謂大当りが発生し、前記特別入賞装置が開放して多数の賞球を獲得し得るよう構成される。
【０００３】
また、所要の動作を行う可動体を備えた可動式の演出装置(可動演出装置)を前記枠状装飾体等に配設し、該可動体を図柄表示装置での図柄変動演出に合わせて動作させることによって演出効果を向上するようにしたパチンコ機が提案されている(例えば、特許文献１参照)。
【先行技術文献】
【特許文献】
【０００４】
【特許文献１】特開２０１２−９０８１４号公報
【発明の概要】
【発明が解決しようとする課題】
【０００５】
しかしながら、近年では、殆どのパチンコ機において図柄表示装置での演出に合わせて動作する可動体を備えており、単に可動体を動作するだけでは他のパチンコ機と差別化することは困難であった。また、可動体の動作態様を変えただけでは演出がマンネリ化し、遊技者に与えるインパクトに乏しいものであった。
【０００６】
すなわち本発明は、従来の技術に係る遊技機に内在する前記課題に鑑み、これを好適に解決するべく提案されたものであって、インパクトのある演出を行って興趣を向上し得る遊技機を提供することを目的とする。
【課題を解決するための手段】
【０００７】
前記課題を解決するために、本願の請求項１に記載の発明では、
各表示部(17a,56a)に画像を表示可能な第１表示装置(17)および第２表示装置(56)と、
前記各表示部(17a,56a)に画像を表示するように前記第１表示装置(17)および第２表示装置(56)を制御する表示制御手段(44)とを備え、
前記第１表示装置(17)および第２表示装置(56)は各表示部(17a,56a)が並んだ状態で相対的に可動可能に構成され、
前記各表示部(17a,56a)に個々に表示された複数の画像(G1,G2,G3)によって一連の画像(SG)が形成されるように、前記表示制御手段(44)で前記第１表示装置(17)および第２表示装置(56)を制御するよう構成され、
駆動機構(71)によって前記第１表示装置(17)の前側を、該第１表示装置(17)の第１表示部(17a)の縁部側の第１位置および該第１位置から離間した第２位置との間で往復移動される可動台(55)に、前記第２表示装置(56)が、該可動台(55)の移動方向と交差すると共に前記第１表示部(17a)に沿う方向に延在する軸回りに回動可能に支持され、該第２表示装置(56)は前側に臨む第２表示部(56a)に画像を表示可能に構成され、
前記可動台(55)の第１位置において該可動台(55)に対して前記第２表示装置(56)を、第２表示部(56a)が第１表示部(17a)に沿う第１姿勢と第１表示部(17a)の前方を向くように傾斜する第２姿勢との間を傾動させる傾動機構(78)と、
前記可動台(55)を第１位置および第２位置の間で案内する第１案内レール(60)と、
前記可動台(55)の第２位置から第１位置に向けて前記第１案内レール(60)と平行に延在する第２案内レール(61)と、
前記可動台(55)に対する第２表示装置(56)の支持部から離間して該第２表示装置(56)に設けられ、前記第２案内レール(61)に係合可能な規制部(69)とを備え、
前記第２表示装置(56)は、前記可動台(55)の第１位置では前記規制部(69)が前記第２案内レール(61)から離間して可動台(55)に対する傾動が許容され、前記可動台(55)が第１位置から離れた後に前記規制部(69)が第２案内レール(61)に係合案内されることで可動台(55)に対する傾動が規制されるよう構成され、
前記傾動機構(78)は、前記可動台(55)の第１位置において前記第２表示装置(56)に設けられた係合部(70)に係合して該第２表示装置(56)を第１姿勢と第２姿勢との間で傾動させる作動部材(80)と、前記作動部材(80)の動作に連動する規制部材(89)とを備え、
前記規制部材(89)は、前記作動部材(80)が前記第２表示装置(56)を第２姿勢に傾動する動作に連動して前記規制部(69)の第２位置側に臨んで前記可動台(55)の第２位置への移動を規制すると共に、前記作動部材(80)が前記第２表示装置(56)を第１姿勢に傾動する動作に連動して前記規制部(69)の第２位置側から退避して前記可動台(55)の第２位置への移動を許容するよう構成されることを要旨とする。
【０００８】
請求項１の発明によれば、複数の表示装置の表示部に個々に表示される複数の画像によって一連の画像を形成し得るので、表示装置による動作演出に加えて、複数の表示装置でのインパクトのある表示演出を行うことができ、遊技の興趣を向上し得る。
また、可動台の移動時に第２表示装置が傾動するのを規制することができ、意図しないときに第２表示装置が傾動して他部材と干渉するのを防止し得る。
更に、第２表示装置が傾動した第２姿勢のまま第２位置に向けて移動するのを規制することができ、該第２表示装置が他の部材と干渉するのを防止し得る。また規制部材は、第２表示装置を傾動する作動部材の動作に連動するよう構成したので、該第２表示装置が第２姿勢に傾動された際には第２位置に向けて移動するのを確実に防止し得る。
【０００９】
本願には、次のような技術的思想が含まれている。
前記複数の表示装置(17,56)は、定位置に固定配置された固定式の表示装置(17)と、該固定式の表示装置(17)に対して変位可能に可動する可動式の表示装置(56)とからなることを要旨とする。
この構成によれば、固定式の表示装置に表示される画像を基準とすることができるので、一連となる画像を適正に表示し得る。
【００１０】
本願には、次のような技術的思想が含まれている。
前記固定式の表示装置(17)を挟む両側に、前記可動式の表示装置(56)が夫々設けられることを要旨とする。
この構成によれば、固定式の表示装置の両側に可動式の表示装置を夫々設けることで、複数の表示装置でよりインパクトのある一連の画像を表示することができる。
【００１１】
本願には、次のような技術的思想が含まれている。
前記可動式の表示装置(56)は、表示部(56a)が固定式の表示装置(17)における表示部(17a)の前方を向くように傾動するよう構成されることを要旨とする。
この構成によれば、複数の表示装置に表示される画像に立体感(奥行き感)を与えることができ、興趣を向上し得る。
【００１２】
本願には、次のような技術的思想が含まれている。
前記可動式の表示装置(56)は、固定式の表示装置(17)に近接する端部を支点として離間する端部が前側に変位するよう構成されることを要旨とする。
この構成によれば、可動式の表示装置における傾動前と傾動後での固定式の表示装置に近接する端部の位置が前後に大きく変化しないので、可動式の表示装置の傾動前と傾動後での両表示装置における画像の繋がりを一定に維持することができる。
【００１３】
本願には、次のような技術的思想が含まれている。
前記可動式の表示装置(103)は、固定式の表示装置(17)に近接する端部を支点として離間する端部が前側に変位する第１状態と、固定式の表示装置(17)から離間する端部を支点として近接する端部が後側に変位する第２状態とに変化可能に構成されることを要旨とする。
この構成によれば、可動式の表示装置における表示部に表示される画像の遠近感を変化させることができる。
【発明の効果】
【００１４】
本発明に係る遊技機によれば、複数の表示装置によりインパクトのある演出を行うことができ、興趣を向上し得る。
【図面の簡単な説明】
【００１５】
【図１】実施例に係るパチンコ機を示す正面図である。
【図２】実施例に係る遊技盤の正面図であって、各第２表示装置が第１位置に位置している状態で示している。
【図３】実施例に係る遊技盤の横断平面図であって、左右の第２表示装置が第１位置において第１姿勢となっている状態を示している。なお、遊技盤に配設されるその他の演出装置は図示省略してある。
【図４】実施例に係る第１および第２可動演出装置が配設されている状態での設置部材の正面図であって、左右の第２表示装置が第１位置において第１姿勢となっている状態を示している。
【図５】実施例に係る第１および第２可動演出装置の概略斜視図であって、左右の第２表示装置が第１位置において第１姿勢となっている状態を示している。
【図６】実施例に係る第１可動演出装置を後側から見た要部概略斜視図である。
【図７】実施例に係る第１可動演出装置の横断底面図であって、第２表示装置が第１位置に位置すると共に作動部材が待機位置に位置している状態で示している。
【図８】実施例に係る第１可動演出装置を前側から見た要部分解斜視図である。
【図９】実施例に係る第１可動演出装置を後側から見た要部分解斜視図である。
【図１０】実施例に係る傾動機構を前側から見た分解斜視図である。
【図１１】実施例に係る傾動機構を後側から見た分解斜視図である。
【図１２】実施例に係る第１可動演出装置を縦断した要部左側面図であって、(ａ)は第２表示装置が第１姿勢の状態を示し、(ｂ)は第２表示装置が第２姿勢の状態を示している。
【図１３】実施例に係る第１可動演出装置を縦断した要部右側面図であって、(ａ)は第２表示装置が第１姿勢の状態を示し、(ｂ)は第２表示装置が第２姿勢の状態を示している。
【図１４】実施例に係る第１可動演出装置の横断平面図であって、(ａ)は第２表示装置が第１姿勢の状態を示し、(ｂ)は第２表示装置が第２姿勢の状態を示している。
【図１５】実施例に係る第１可動演出装置の横断底面図であって、(ａ)は第２表示装置が第１姿勢の状態を示し、(ｂ)は第２表示装置が第２姿勢の状態を示している。
【図１６】実施例に係る遊技盤の横断平面図であって、左右の第２表示装置が第１位置において第２姿勢となっている状態を示している。なお、遊技盤に配設されるその他の演出装置は図示省略してある。
【図１７】実施例に係る遊技盤の正面図であって、左右の第２表示装置が第２位置に位置している状態で示している。
【図１８】実施例に係る遊技盤の横断平面図であって、左右の第２表示装置が第２位置に位置している状態を示している。なお、遊技盤に配設されるその他の演出装置は図示省略してある。
【図１９】実施例に係るパチンコ機の制御ブロック図である。
【図２０】実施例に係る第２表示装置の動作パターンと表示パターンとの関係を示す説明図である。
【図２１】実施例に係る第１表示装置の第１表示部および第２表示装置の第２表示部に表示される画像の形態を示す説明図である。
【図２２】別実施例に係る可動演出装置の概略説明図である。
【図２３】別実施例に係る可動演出装置における第２表示装置の姿勢を変化させた各形態を示す説明図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」、「上」、「下」とは、特に断りのない限り、図１に示すようにパチンコ機を前側(遊技者側)から見た状態で指称する。
【実施例】
【００１７】
(パチンコ機１０について)
実施例に係るパチンコ機１０は、図１に示すように、矩形枠状に形成されて遊技店の図示しない設置枠台に固定される固定枠としての外枠１１の開口前面側に、後述する遊技盤Ｍ(図２参照)を着脱可能に保持する本体枠としての中枠１２が開閉および着脱可能に組付けられると共に、遊技盤Ｍの後側に、図柄を変動表示可能な第１表示装置(固定式の表示装置)１７(図３参照)が着脱し得るよう配設されている。また、中枠１２の前面側には、遊技盤Ｍを透視可能に保護する透明部材１３ａを窓部に備えた装飾枠としての前枠１３が開閉可能に組付けられると共に、該前枠１３の下方にパチンコ球を貯留する下球受け皿１５が開閉可能に組付けられる。なお、実施例では、前枠１３の下部位置に、パチンコ球を貯留する上球受け皿１４が一体的に組付けられており、前枠１３の開閉に合わせて上球受け皿１４も一体的に開閉するよう構成される。
【００１８】
前記第１表示装置１７は、後述する始動入賞口２６ａ,２９ａへのパチンコ球の入賞を契機として演出用の図柄(飾図という場合もある)を第１表示部(表示部)１７ａに変動表示させる図柄変動演出を行うよう構成される。また第１表示装置１７では、図柄変動に関連して実行される各種の表示演出(リーチ演出、予告演出、報知演出等)を第１表示部１７ａに表示し得るようになっている。実施例では、前記第１表示装置１７として、各種図柄や表示演出に係る画像を表示可能な液晶パネルを収容ケースに収容した液晶表示装置が採用されるが、これに限られるものではなく、有機ＥＬ(Electro-Luminescence)等、各種画像を表示可能なその他の表示原理が異なる各種装置を用いることができる。
【００１９】
前記前枠１３には、図１に示す如く、前記下球受け皿１５の右側方に、前記中枠１２に配設された打球発射装置(図示せず)を作動する操作ハンドル１６が設けられる。この操作ハンドル１６は、左回転方向に付勢された操作レバー１６ａを備えており、該操作レバー１６ａを右回転するよう遊技者が回動操作することで打球発射装置が作動されて、前記上球受け皿１４に貯留されたパチンコ球が前記遊技盤Ｍに向けて発射されるようになっている。ここで、前記操作レバー１６ａの回動量に応じて前記打球発射装置によるパチンコ球の打球力が強弱変化するよう構成されており、遊技者が操作レバー１６ａを操作して回動量を調節することで、前記遊技盤Ｍに配設された後述する枠状装飾体２５の左側の遊技領域２１ａをパチンコ球が流下する所謂「左打ち」と、該枠状装飾体２５の右側の遊技領域２１ａをパチンコ球が流下する所謂「右打ち」とを打ち分け得るようになっている。また、前枠１３の前部には、ＬＥＤ等の発光体による発光演出が可能なランプ装置１８や、音声や効果音を出力可能なスピーカ１９が配設されており、前記第１表示装置１７での図柄変動演出に合わせてランプ装置１８で発光演出を行ったりスピーカ１９で音声演出を行い得るよう構成されている。
【００２０】
(遊技盤Ｍについて)
本実施例では、図３に示す如く、所定板厚の略矩形状に形成されたアクリルやポリカーボネート等の合成樹脂材等からなる透明な平板状の板状部材２１と、該板状部材２１の裏側に着脱自在に取り付けられる設置部材２２とから前記遊技盤Ｍが構成されている。板状部材２１の表面には、図２に示す如く、略円形状に湾曲形成された案内レール２３が配設され、該案内レール２３によってパチンコ球が流下可能な遊技領域２１ａが画成されている。そして、該遊技領域２１ａ内に、前記打球発射装置から発射されたパチンコ球が打ち出され、該遊技領域２１ａ内をパチンコ球が流下して遊技が行われる。なお、板状部材２１をベニア板等から形成してもよい。
【００２１】
前記板状部材２１には、前後に貫通する装着口が前記遊技領域２１ａ内に複数開設されて、各装着口に対して各種の遊技部品が前側から取り付けられると共に、遊技領域２１ａの最下部位置には、該遊技領域２１ａに打ち出されたパチンコ球を排出するアウト口２４が開設されている。なお、前記装着口の形成数は、板状部材２１に対して取り付けられる各種の遊技部品の個数や配設位置等により必要に応じて適宜決定される。
【００２２】
実施例の前記板状部材２１には、前記案内レール２３で囲まれた遊技領域２１ａの略中央の大部分が開口する第１装着口に、図３に示す如く、前後に開口する窓口２５ａが形成された枠状装飾体２５が取り付けられ、該枠状装飾体２５の窓口２５ａを介して第１表示装置１７の第１表示部１７ａが板状部材２１(遊技盤Ｍ)の前側に臨むよう構成されている。また、板状部材２１における第１装着口(枠状装飾体２５)の下方に開設された第２装着口に、遊技領域２１ａを流下するパチンコ球が入賞可能な第１始動入賞口(始動入賞手段)２６ａを有する始動入賞部２６が取り付けられている。更に、板状部材２１には、第２装着口(始動入賞部２６)の左方から上方にかけて開設された第３装着口に、遊技領域２１ａを流下するパチンコ球が入賞可能な普通入賞口２７ａが設けられた第１サイド飾り２７が取り付けられている。
【００２３】
また、前記遊技盤Ｍにおいて前記枠状装飾体２５の右側をパチンコ球が流下する遊技領域２１ａに、上側から第４装着口、第５装着口、第６装着口および第７装着口が開設される。そして、第４装着口に、遊技領域２１ａを流下するパチンコ球が通過可能な球通過ゲート２８が取り付けられ、第５装着口に、遊技領域２１ａを流下するパチンコ球が入賞可能な第２始動入賞口(始動入賞手段)２９ａを有する始動入賞装置２９が取り付けられ、第６装着口に、遊技領域２１ａを流下するパチンコ球が入賞可能な第１特別入賞口３０ａを有する第１特別入賞装置３０が取り付けられ、第７装着口に、第２サイド飾り３１が取り付けられている。実施例の第２サイド飾り３１には、遊技領域２１ａを流下するパチンコ球が入賞可能な第２特別入賞口３２ａを有する第２特別入賞装置３２および遊技領域２１ａを流下するパチンコ球が入賞可能な普通入賞口３１ａが設けられている。
【００２４】
図２に示すように、前記板状部材２１には、前記遊技領域２１ａ内に多数の遊技釘３３が設けられると共に、前記枠状装飾体２５の左側方に、遊技領域２１ａを流下するパチンコ球の接触に伴って回転する所謂「風車」とも称される回転案内部材３４が回転自在に配設されており、遊技釘３３や回転案内部材３４との接触によりパチンコ球の流下方向が不規則に変化するよう構成される。また、前記板状部材２１には、前記始動入賞部２６の第１始動入賞口２６ａと前記回転案内部材３４との間に、該第１始動入賞口２６ａへ向けて下方傾斜する直線状に連続して前記遊技釘３３が設けられている。なお、以下の説明では、第１始動入賞口２６ａへ向けて下方傾斜する直線状に連続した遊技釘群を案内連釘３５と指称するものとする。また、前記案内連釘３５を構成する遊技釘３３は、適宜位置でパチンコ球が通過可能な隙間が空くよう設けられており、該案内連釘３５上を移動するパチンコ球が普通入賞口２７ａやアウト口２４側へ流下し得るようになっている。
【００２５】
(枠状装飾体２５について)
前記枠状装飾体２５は、図３に示す如く、前記第１装着口の内側に沿って延在する環状に形成された枠状基部３６と、該枠状基部３６に設けられて前記板状部材２１の前面より前方に突出し、前記遊技領域２１ａと第１表示装置１７の第１表示部１７ａを区切る庇状部３７と、該庇状部３７の後縁から外方に延出する薄板状の台板部３８とを備える。そして、前記枠状基部３６を第１装着口に挿入すると共に台板部３８を板状部材２１の前面に当接した状態で、該台板部３８をネジ等の固定手段で板状部材２１に固定することで、枠状装飾体２５が板状部材２１に取り付けられて、該枠状装飾体２５の外側、具体的には庇状部３７と案内レール２３との間にパチンコ球が流下する遊技領域２１ａが画成されるようになっている。なお、枠状装飾体２５を板状部材２１に取り付けた状態で、庇状部３７の後端縁から外方に延出する台板部３８が板状部材２１の前面に沿って延在して、該台板部３８の前側をパチンコ球が通り得るようになっている。また、枠状装飾体２５は、全体が透明な合成樹脂製とされており、透明な板状部材２１の前側に台板部３８を重ねた状態で、該台板部３８および板状部材２１を介して裏側を透視可能に構成されている。
【００２６】
前記枠状装飾体２５の庇状部３７は、枠状基部３６の全周に亘って連続して延在するよう設けられており、前記遊技領域２１ａから窓口２５ａ内にパチンコ球が飛び込むのを規制して、前記第１表示装置１７における第１表示部１７ａの前側をパチンコ球が移動しないように構成してある。また庇状部３７は、最上部位置から左右方向に下方傾斜するよう形成されて、遊技領域２１ａに打ち出されたパチンコ球が庇状部３７上で滞ることなく枠状装飾体２５の左側方または右側方へ誘導案内されるよう形成されている。
【００２７】
前記枠状装飾体２５には、図２に示す如く、パチンコ機１０のモチーフとなる意匠が施された装飾部品３９が、前記庇状部３７の内周上縁部に設けられている。そして、本実施例では、装飾部品３９および庇状部３７によって、前記第１表示装置１７の第１表示部１７ａを前側に臨ませる窓口２５ａが画成される。なお、本実施例のパチンコ機１０では、図３に示す如く、前記枠状基部３６の内側に配設された前後に離間する２枚の透明板４０によって、枠状装飾体２５の窓口２５ａが塞がれている。
【００２８】
前記枠状装飾体２５には、図２に示す如く、前記窓口２５ａの下縁部を画成する庇状部３７から外方(下方)に延出する台板部３８における第１装着口に臨む部位に、後方に凹むステージ４１が左右方向に所定長さで設けられており、該ステージ４１には前面開口から遊技領域２１ａを流下するパチンコ球が、前記案内連釘３５等に接触して跳ね上がって飛び込み得るよう構成される。そして、ステージ４１に飛び込んだパチンコ球は、ステージ４１上を左右に転動した後に、前記始動入賞部２６が設けられている遊技領域２１ａに排出されるようになっている。
【００２９】
(始動入賞部２６について)
前記板状部材２１に配設された前記始動入賞部２６の第１始動入賞口２６ａは、遊技領域２１ａ内で常に上方へ開口する常時開放タイプの入賞口とされ、該第１始動入賞口２６ａは、前記遊技領域２１ａを流下するパチンコ球が常時一定の確率で入賞可能に構成される。また始動入賞部２６は、前記第１始動入賞口２６ａに入賞したパチンコ球を検出する入賞検出手段としての第１始動入賞検出スイッチ４５を備えている。第１始動入賞検出スイッチ４５は、パチンコ機１０の裏側に配設されたメイン制御手段４２(図１９参照)に配線接続されており、該第１始動入賞検出スイッチ４５によるパチンコ球の検出(すなわち第１始動入賞口２６ａへのパチンコ球の入賞)を契機として所定数の賞球が払い出されるようになっている。
【００３０】
(始動入賞装置２９について)
前記始動入賞装置２９の第２始動入賞口２９ａは、開閉部材２９ｂによって開閉するよう構成されており、駆動手段としての始動入賞ソレノイド４６(図１９参照)の駆動に伴って開閉部材２９ｂが第２始動入賞口２９ａを閉鎖する閉鎖位置と開放する開放位置に変位するよう構成されている。すなわち、第２始動入賞口２９ａは、始動入賞ソレノイド４６を駆動することでパチンコ球の入賞確率を可変し得るよう構成される。なお、開閉部材２９ｂを閉鎖位置から開放位置に変位して第２始動入賞口２９ａを開放する開放条件および開閉部材２９ｂを開放位置から閉鎖位置に変位して第２始動入賞口２９ａを閉鎖する閉鎖条件としては、開閉部材２９ｂが開放位置に変位している継続時間(第２始動入賞口２９ａの開放時間)が挙げられるが、その他の条件を設定してもよい。
【００３１】
前記始動入賞装置２９は、前記第２始動入賞口２９ａに入賞したパチンコ球を検出する入賞検出手段としての第２始動入賞検出スイッチ４７を備えている。第２始動入賞検出スイッチ４７は、前記メイン制御手段４２に配線接続されており(図１９参照)、該第２始動入賞検出スイッチ４７によるパチンコ球の検出(すなわち第２始動入賞口２９ａへのパチンコ球の入賞)を契機として所定数の賞球が払い出されるようになっている。
【００３２】
(第１および第２特別入賞装置３０,３２について)
前記第１および第２特別入賞装置３０,３２は、前記始動入賞口２６ａ,２９ａへのパチンコ球の入賞を契機として大当り遊技が付与される場合に、決定された大当り遊技の種類に応じて開閉動作するよう構成されている。すなわち、第１および第２特別入賞装置３０,３２の夫々は、対応する特別入賞口３０ａ,３２ａを開閉自在に閉成する開閉体(開閉部材)３０ｂ,３２ｂを備えており、駆動手段としての特別入賞ソレノイド４８,４９(図１９参照)の駆動に伴って開閉体３０ｂ,３２ｂが独立して作動されて特別入賞口３０ａ,３２ａを閉鎖する閉鎖位置と開放する開放位置に変位するよう構成されている。なお、各特別入賞ソレノイド４８,４９は、始動入賞口２６ａ,２９ａへのパチンコ球の入賞を契機として大当り遊技が付与される場合に、大当り遊技の種類に応じて定められた所定の開閉動作パターンに従ってメイン制御手段４２によって駆動制御される。
【００３３】
また、前記第１および第２特別入賞装置３０,３２の夫々は、対応する特別入賞口３０ａ,３２ａに入賞したパチンコ球を検出する特別入賞検出手段としての特別入賞検出スイッチ５０,５１を備えている。各特別入賞検出スイッチ５０,５１は、前記メイン制御手段４２に配線接続されており(図１９参照)、各特別入賞検出スイッチ５０,５１がパチンコ球を検出すると、検出信号をメイン制御手段４２に出力し、メイン制御手段４２の制御下に予め設定された数の賞球が払い出されるようになっている。なお、各特別入賞装置３０,３２は、開閉体３０ｂ,３２ｂにより特別入賞口３０ａ,３２ａを常には閉鎖(入賞不能状態と)するよう構成され、後述する大当り遊技(当り遊技)の発生に伴って特別入賞口３０ａ,３２ａを開放(入賞可能状態と)するよう構成されている。すなわち、特別入賞装置３０,３２は、大当り遊技(特定遊技)で開放可能な入賞装置として機能する。なお、実施例における第１および第２特別入賞装置３０,３２の基本構成は共通しており、第１特別入賞装置３０を構成する部材に対して「第１」を付加し、第２特別入賞装置３２を構成する部材に対して「第２」を付加することで両者を区別する場合がある。
【００３４】
実施例のパチンコ機１０では、第１および第２始動入賞検出スイッチ４５,４７によるパチンコ球の検出(第１始動入賞口２６ａまたは第２始動入賞口２９ａへのパチンコ球の入賞)に伴って各種情報が取得され、この取得した情報に基づいて後述する特図当り抽選(当り判定)が行われるよう構成されている。そして、特図当り抽選の結果に基づいて前記第１表示装置１７において図柄変動演出が実行され、該第１表示装置１７での図柄変動演出の結果、該第１表示装置１７の第１表示部１７ａに所定の組み合わせ(例えば同一飾図の３つ揃い等)で飾図が確定停止表示されることで、遊技者に有利な大当り遊技(当り遊技)が付与され、付与される(当選された)大当り遊技の種類に応じて特別入賞装置３０,３２の何れかの特別入賞口３０ａ,３２ａを所定の開放条件で開放する大当り遊技が行われて、遊技者が賞球を獲得し得る機会が与えられるよう構成されている。
【００３５】
(球通過ゲート２８について)
前記球通過ゲート２８には、該ゲート２８を通過するパチンコ球を検出する球通過検出スイッチ５２が設けられている。この球通過検出スイッチ５２は、前記メイン制御手段４２に配線接続されており(図１９参照)、該球通過検出スイッチ５２からメイン制御手段４２への球検出信号の入力(すなわちパチンコ球の検出)に伴って普図当り抽選(後述)が行われ、該普図当り抽選の結果に応じて前記始動入賞装置２９の始動入賞ソレノイド４６が駆動制御されて開閉部材２９ｂが開閉動作するようになっている。
【００３６】
(普通入賞口２７ａ,３１ａについて)
前記サイド飾り２７,３１に設けられた普通入賞口２７ａ,３１ａは、前記遊技領域２１ａ内で常に上方へ開口する常時開放タイプの入賞口とされ、遊技領域２１ａを流下するパチンコ球が常時一定の確率で入賞可能に構成されている。パチンコ機１０は、普通入賞口２７ａ,３１ａに入賞したパチンコ球を検出する普通入賞検出手段としての普通入賞検出センサ(図示せず)を備え、該普通入賞検出センサは前記メイン制御手段４２に配線接続されている。そして、普通入賞検出センサがパチンコ球を検出すると、検出信号をメイン制御手段４２に出力し、該メイン制御手段４２の制御下に予め設定された数の賞球が払い出されるようになっている。
【００３７】
(設置部材２２について)
前記設置部材２２は、図３,図４に示す如く、前記板状部材２１の外郭形状より小さい略矩形状に形成された背面板(設置部)５３と、該背面板５３の外周縁部から前方に突出する画壁部５４とから前方に開口した箱状に形成されて、該画壁部５４の開口前端部を板状部材２１の裏面に当接させた状態で、当該板状部材２１と設置部材２２とがネジ止め固定される。そして、前記設置部材２２において前記板状部材２１との間に画成される空間に、動作により演出を行う複数の可動演出装置Ｎ１,Ｎ２が設置されて、設置部材２２を基材とする１つのユニットとして扱い得るようになっている。前記設置部材２２の背面板５３には、前記枠状装飾体２５の窓口２５ａと前後に整列する位置に、略矩形状の開口部２２ａが前後に開口するよう開設される。そして、背面板５３の裏面に配設した前記第１表示装置１７の表示部１７ａが、前記開口部２２ａおよび窓口２５ａを介して板状部材２１の前側に臨むようになっている。なお、以下の説明では、設置部材２２の背面板５３について、開口部２２ａに対する上下左右の各部位を、上板部５３ａ,下板部５３ｂ,左板部５３ｃ,右板部５３ｄと指称して区別する場合もある。また、設置部材２２には、後述する第２表示装置５６を備える可動演出装置Ｎ１,Ｎ２の他にも各種可動演出装置や発光演出装置等の遊技部品が配設されているが、図３,図４,図１６,図１８では、該遊技部品は図示省略してある。
【００３８】
(可動演出装置Ｎ１,Ｎ２について)
図３,図４に示すように、前記設置部材２２の背面板５３における開口部２２ａの左側前面(左板部５３ｃの前面)に、第１可動演出装置Ｎ１が配設されると共に、背面板５３における開口部２２ａの右側前面(右板部５３ｄの前面)に、第２可動演出装置Ｎ２が配設されている。第１可動演出装置Ｎ１および第２可動演出装置Ｎ２は、左右対称であるので、第１可動演出装置Ｎ１の構成について説明し、第２可動演出装置Ｎ２については第１可動演出装置Ｎ１と同じ部材に同一の符号を付して詳細説明は省略する。
【００３９】
前記第１可動演出装置Ｎ１は、背面板５３の板面に沿って左右方向に往復移動する可動台５５と、該可動台５５に動作可能に配設されて画像を表示可能な第２表示装置(可動式の表示装置)５６とを備える(図３,図６参照)。そして、第１可動演出装置Ｎ１および第２可動演出装置Ｎ２は、可動台５５,５５(第２表示装置５６,５６)を、前記第１表示装置１７における表示部１７ａの前側において左右方向で対向して相互に近接・離間移動し得るよう構成される(図２,図３,図１７,図１８参照)。すなわち、各可動演出装置Ｎ１,Ｎ２は、可動台５５(第２表示装置５６)を、後述する駆動機構７１によって前記枠状装飾体２５における窓口２５ａの対応する縁部側(開口部縁部側)の第１位置(図２,図３)と、該第１位置より窓口中央側(開口部中央側)の第２位置(図１７,図１８)との間を往復移動するよう構成される。言い替えれば、前記設置部材２２に配設されて定位置に固定配置された固定式の第１表示装置１７における第１表示部１７ａの前側を、該第１表示部１７ａの縁部側の第１位置および該第１位置から離間した第２位置との間で可動台５５(第２表示装置５６)が往復移動(変位可能に可動)するようになっている。また、実施例では、姿勢を変化することなく左右方向に往復移動する可動台５５に対し、可動台５５の往復移動方向と交差する方向(実施例では上下方向)の軸回りに回転(傾動)する動作を第２表示装置５６が行い得るよう構成されている。なお、可動台５５と一体で移動する第２表示装置５６の位置について、可動台５５の第１位置および第２位置と対応して第１位置および第２位置と指称するものとする。
【００４０】
(支持基体５７について)
前記第１可動演出装置Ｎ１は、前記背面板５３の前面における上板部５３ａの左隅部から左板部５３ｃおよび下板部５３ｂにかけて配設されて、前記可動台５５が移動自在に支持される支持基体５７を備える。この支持基体５７は、左板部５３ｃの前面に重なる第１取付部５７ａと、該第１取付部５７ａの上端に連設されて上板部５３ａの前面に重なる第２取付部５７ｂと、該第１取付部５７ａの下端に連設されて下板部５３ｂの前面に重なる第３取付部５７ｃとを備え(図８,図９参照)、これら各取付部５７ａ,５７ｂ,５７ｃが対応する板部５３ａ,５３ｂ,５３ｃにネジ止め固定されている。第２取付部５７ｂに、第１レール部５８が左右方向に延在するように設けられると共に、第３取付部５７ｃに、第１レール部５８と平行に延在する第２レール部５９が設けられており、支持基体５７に対して前記可動台５５は、上下のレール部５８,５９で案内されて背面板５３の前面に沿って左右方向に往復移動自在に支持される。なお、第２可動演出装置Ｎ２では、支持基体５７が背面板５３の前面における上板部５３ａの右隅部から右板部５３ｄおよび下板部５３ｂにかけて配設されて、各取付部５７ａ,５７ｂ,５７ｃが対応する板部５３ａ,５３ｂ,５３ｄにネジ止め固定されている。
【００４１】
(第１レール部５８について)
前記第１レール部５８は、第２取付部５７ｂに配設されて前記可動台５５を案内する可動台用案内レール(第１案内レール)６０と、該可動台用案内レール６０の前側に平行に設けられて前記第２表示装置５６を案内する表示用案内レール(第２案内レール)６１とを備えている(図７,図１２参照)。可動台用案内レール６０は、図７に示す如く、第２取付部５７ｂの前側に離間して第１レール体６２を配設することで、両部材５７ｂ,６２の対向面間に下方に開口するガイド溝を左右方向に所定長さで延在するように形成したものであって、前記可動台５５に設けた後述するガイド突起６４が、該可動台用案内レール６０に摺動自在に支持されるようになっている。また、表示用案内レール６１は、第１レール体６２の前側に離間して第２レール体６３を配設することで、両部材６２,６３の対向面間に下方に開口するガイド溝を左右方向に所定長さで延在するように形成したものであって、前記第２表示装置５６に設けた後述する規制突起６９が、該表示用案内レール６１に摺動自在に支持されるようになっている。
【００４２】
前記可動台用案内レール６０の左右方向の長さは、図７に示す如く、前記可動台５５が前記第１位置と第２位置との間を往復移動する間に亘ってガイド突起６４を支持可能な寸法に設定される。これに対し、前記表示用案内レール６１は、可動台用案内レール６０より短い寸法に設定されて、可動台用案内レール６０に対して可動台５５の第２位置側に偏倚して設けられている。また表示用案内レール６１は、可動台５５の第１位置側にガイド溝を開放する出入口６１ａが形成されており、可動台５５が第１位置と第２位置との間を移動する途中において前記規制突起６９が表示用案内レール６１のガイド溝に対して出入り可能に構成されている。すなわち、規制突起６９が表示用案内レール６１のガイド溝に入っている状態では、該表示用案内レール６１によって規制突起６９の前後方向(可動台５５の往復移動方向と交差する方向)の変位を規制しつつ左右方向の移動を許容(案内)する。また、規制突起６９が表示用案内レール６１のガイド溝から外れて離間した状態では、規制突起６９の前後方向の変位が許容されて、後述するように第２表示装置５６を可動台５５に対して傾動し得るよう構成される(図１４,図１５参照)。
【００４３】
(第２レール部５９について)
前記第２レール部５９は、図４に示す如く、前記第３取付部５７ｃに配設されて左右方向に延在するレール部材５９ａで構成され、該レール部材５９ａに前記可動台５５に配設した後述するガイド部材６５が摺動自在に支持される。そして、可動台５５は、第１レール部５８における可動台用案内レール６０と、第２レール部５９のレール部材５９ａとで支持された状態で、左右方向に平行移動するよう構成される。
【００４４】
(可動台５５について)
前記支持基体５７の前側に移動自在に支持される前記可動台５５は、図６,図８,図９に示す如く、該可動台５５の往復移動方向と交差する上下方向に長尺に形成されて、上端部(長手方向の一端部)に、上方(外方)に延出するガイド突起６４が設けられると共に、該可動台５５の下端部(長手方向の他端部)には、第３取付部５７ｃとの対向面である裏面にガイド部材６５が設けられている。そして、可動台５５は、ガイド突起６４が、前記可動台用案内レール６０に摺動自在に支持されると共に、ガイド部材６５が、前記レール部材５９ａに摺動自在に支持される。また、可動台５５の下端部には、左右方向に所定長さでラック５５ａが設けられており、該ラック５５ａが後述する駆動機構７１の第１作動歯車７３に噛合して、該第１作動歯車７３の回転に伴って可動台５５が左右方向に移動するよう構成されている。
【００４５】
前記可動台５５には、前記第１表示装置１７における第１表示部１７ａの中央側の端部に、上下に貫通する通孔が形成された一対の支持部５５ｂ,５５ｂが上下に離間して設けられており、両支持部５５ｂ,５５ｂに後述する軸体６８が支持されるようになっている。また可動台５５には、上側の支持部５５ｂの下側および下側の支持部５５ｂの上側に、後側に凹む凹部５５ｃが夫々形成されている。
【００４６】
(第２表示装置５６について)
前記第２表示装置５６は、図８,図９に示す如く、カバー部材６６ａとベース部材６６ｂとを前後の関係で組付けることで構成される収容ケース６６に、各種画像を表示可能な液晶パネル６７を収容した液晶表示装置が採用され、収容ケース６６に収容された液晶パネル６７は、該収容ケース６６における前側に位置するカバー部材６６ａに形成した開口部から前側に臨むよう構成される。以後、液晶パネル６７におけるカバー部材６６ａの開口部から前側に臨む部位を第２表示部(表示部)５６ａと指称する。そして第２表示装置５６では、後述する表示制御手段４４の制御下に第２表示部５６ａで各種演出に係る画像を表示し得るよう構成されている。すなわち、第２表示装置５６では、前記始動入賞口２６ａ,２９ａへのパチンコ球の入賞を契機として第１表示装置１７で実行される図柄変動演出と関連する演出や、該図柄変動演出とは別の演出を表示し得る他、客寄せのためのデモンストレーション演出(デモ演出)等も表示し得るよう構成される。図柄変動演出と関連した表出演出としては、例えば、特図当り抽選や普図当り抽選に当選する期待度等を示唆する予告演出や、該特図当り抽選や普図当り抽選の結果を報知する報知演出等が挙げられる。また、第２表示装置５６では、前記第１始動入賞口２６ａおよび第２始動入賞口２９ａにパチンコ球が入賞した際に取得される入賞情報(各種乱数情報)を機内部の記憶手段に特図始動保留情報(特図当り抽選に際して当選の可否判定に係わる情報や図柄変動演出の内容を決定するために必要な情報)として記憶する場合に、当該特図始動保留情報の保留数を特定可能に表示し得ると共に、特図始動保留情報に応じて表示態様を変化させることができる。更に、第２表示装置５６では、前記球通過ゲート２８をパチンコ球が通過した際に取得される球通過検出情報(各種乱数情報)を、機内部の記憶手段に普図始動保留情報(普図当り抽選の当選の可否判定に係わる情報)として記憶する場合に、当該普図始動保留情報の保留数を特定可能に表示し得ると共に、普図始動保留情報に応じて表示態様を変化させることができる。なお、第２表示装置５６は、第１表示装置１７と同様に、液晶表示装置に限られるものではなく、有機ＥＬ(Electro-Luminescence)等、各種画像を表示可能なその他の表示原理が異なる各種装置を用いることができる。
【００４７】
前記第２表示装置５６は、第１位置に位置する状態で、図２,図３に示す如く、該第２表示装置５６の第２表示部５６ａが、前記枠状装飾体２５の窓口２５ａ内における対応する側部に偏った位置で前側に臨んで、第２表示部５６ａに表示される各種画像をパチンコ機１０の前側から視認し得るよう構成される。実施例では、両可動演出装置Ｎ１,Ｎ２の第２表示装置５６,５６が第１位置に位置する状態で、前記第１表示装置１７における第１表示部１７ａの左右両側に第２表示部５６ａ,５６ａが並ぶように位置して、３つの表示部１７ａ,５６ａ,５６ａが窓口２５ａを介してパチンコ機１０の前側から視認し得るようになっている。そして、３つの表示部１７ａ,５６ａ,５６ａに個々に表示される後述する画像Ｇ１,Ｇ２,Ｇ３によって一連の画像(以後「一連画像ＳＧ」と指称する)を形成し得るようになっている(図２１(ａ),(ｂ)参照)。また第２表示装置５６は、第１位置から第２位置に移動することで、該第２表示装置５６の全体が前記第１表示装置１７における第１表示部１７ａの前側に重なって該第１表示部１７ａを前側から視認可能な視認領域を変化(小さく)するよう構成されている(図１７,図１８参照)。すなわち、第２表示装置５６の第２表示部５６ａは、第１位置および第２位置の何れの位置においても前側から視認可能に構成されており、該第２表示装置５６が第１位置および第２位置に移動した状態で第２表示部５６ａに表示される演出によって興趣を向上し得るようになっている。なお、実施例では、両可動演出装置Ｎ１,Ｎ２の第２表示装置５６,５６が第２位置に位置する状態で、図１７に示す如く、両第２表示装置５６,５６が略隙間なく並ぶと共に、第１表示装置１７の窓口２５ａに臨む第１表示部１７ａの略全体が第２表示装置５６,５６で覆われるようになっている。そして、左右に並ぶ第２表示部５６ａ,５６ａに個々に表示される後述する画像Ｇ２,Ｇ３によって一連画像ＳＧが形成されるように構成されている(図２１(ｃ)参照)。
【００４８】
ここで、実施例のパチンコ機１０では、該パチンコ機１０を前側から見た場合に、定位置に設置された前記第１表示装置１７の第１表示部１７ａに対して左右の第２表示装置５６,５６の第２表示部５６ａ,５６ａが夫々左右方向に並んだ状態で、該第１表示部１７ａ(第１表示装置１７)に対して第２表示部５６ａ,５６ａ(第２表示装置５６,５６)の夫々が相対的に移動(可動)するよう構成される。また、左右の第２表示装置５６,５６についても、一方の第２表示部５６ａと他方の第２表示部５６ａとが左右方向に並んだ状態で相対的に移動(可動)するようになっている。そして、左右の第２表示装置５６,５６が夫々左右方向に移動することで、後述するように複数の表示部１７ａ,５６ａ,５６ａに表示される一連画像ＳＧの大きさを可変し得るようになっている。
【００４９】
前記収容ケース６６(具体的にはベース部材６６ｂ)には、前記第１表示装置１７における第１表示部１７ａの中央側の端部に、上下方向に貫通する通孔が形成された一対の軸支部６６ｃ,６６ｃが上下に離間して設けられている(図９参照)。各軸支部６６ｃは、ベース部材６６ｂの後側に突出しており、各軸支部６６ｃを前記可動台５５の対応する前記凹部５５ｃに前側から挿入することで、該可動台５５の支持部５５ｂの通孔と軸支部６６ｃの通孔とが上下に整列するよう構成される。そして、支持部５５ｂおよび軸支部６６ｃの通孔に軸体６８を挿通することで、可動台５５に対して第２表示装置５６は、軸体６８を中心として傾動し得るように支持される。すなわち、第２表示装置５６は、可動台５５の往復移動方向と交差すると共に前記第１表示装置１７の第１表示部１７ａに沿う方向(実施例では上下方向)に延在する軸回りに回動自在に支持される。また、実施例では、可動台５５に対して第２表示装置５６は、第１表示部１７ａの中央側の端部(左右の第２表示装置５６,５６の対向端部側であって、第１位置において第１表示装置１７に近接する側)で回動自在に支持されており、該第２表示装置５６は軸体６８を中心として第１表示部１７ａの中央側から離間する端部(第１位置において第１表示装置１７から離間する端部)が前後に変位するように傾動するよう構成される(図１６参照)。そして、後述する傾動機構７８によって可動台５５に対して第２表示装置５６を傾動することで、該第２表示装置５６は、第２表示部５６ａが前記第１表示装置１７の第１表示部１７ａに沿うように前側を向く第１姿勢(図３参照)と、第２表示部５６ａが第１表示部１７ａの中央側前方を向く第２姿勢(図１６参照)とに変化可能に構成されている。なお、第２表示装置５６は、後述するように、第１位置でのみ傾動が可能で、第１位置から第２位置への移動途中および第２位置での傾動は規制されるようになっている。
【００５０】
ここで、前記可動台５５に対して前記軸体６８により支持される第２表示装置５６の端部側を支持側端部と指称すると共に、該支持側端部とは反対側で前後に変位する端部側を変位側端部と指称する場合もある。そして、第２表示装置５６の支持側端部および変位側端部と、前記第１表示装置１７の第１表示部１７ａに表示される画像Ｇ１との関係は、第２表示装置５６の第２表示部５６ａに表示される画像Ｇ２と、第１表示部１７ａに表示される画像Ｇ１とにより一連画像ＳＧが形成される場合に、両画像Ｇ１,Ｇ２の繋ぎ目側に支持側端部が位置して、両画像Ｇ１,Ｇ２の繋ぎ目側から離間して位置する変化側端部が前後に変位するよう設定されている。
【００５１】
前記収容ケース６６(具体的にはベース部材６６ｂ)には、前記第２表示装置５６の支持側端部から変位側端部に離間する位置に、上方に突出する規制突起(規制部)６９が設けられている。この規制突起６９は、前記第１姿勢において前記表示用案内レール６１に支持可能な位置(ガイド溝に出入り可能な位置)に位置しており、該規制突起６９が表示用案内レール６１のガイド溝内に位置する状態(係合状態)では、第２表示装置５６は軸体６８を中心とした傾動が表示用案内レール６１で規制されるよう構成される(図７の二点鎖線参照)。これに対し、規制突起６９が表示用案内レール６１のガイド溝外に位置する状態(係合解除状態)では、第２表示装置５６は軸体６８を中心とした傾動が許容されるよう構成される(図１５参照)。
【００５２】
前記収容ケース６６(具体的にはベース部材６６ｂ)には、図６,図８,図９に示す如く、前記規制突起６９を挟んで支持側端部(軸体６８による支持部)とは反対側に、上方に突出する係合突起(係合部)７０が設けられている。この係合突起７０は、前記可動台５５(第２表示装置５６)の往復移動に際して前記表示用案内レール６１に干渉しないように、前記規制突起６９より前側に位置している。そして、可動台５５が第２位置から第１位置に移動することで、後述する傾動機構７８の作動部材８０に係合突起７０が係合して、該作動部材８０の動作に伴って第２表示装置５６が軸体６８を中心として傾動されるよう構成されている(図１４,図１５参照)。
【００５３】
(駆動機構７１について)
前記支持基体５７の第３取付部５７ｃに、前記可動台５５を移動する駆動機構７１が配設されている。この駆動機構７１は、第３取付部５７ｃに着脱自在に配設された第１取付台７２および第３取付部５７ｃの間に回転自在に支持された複数の歯車７３,７４,７５と、駆動手段としての第１駆動モータ７６とを備える。第１取付台７２と第３取付部５７ｃとの間に回転自在に支持された前記歯車７３,７４,７５は、可動台５５の前記ラック５５ａに噛合する第１作動歯車７３(図５参照)と、第１駆動モータ７６に連結された第１駆動歯車７４と、第１作動歯車７３および第１駆動歯車７４に噛合する従動歯車７５である。すなわち、可動台５５は、ラック５５ａおよび歯車７３,７４,７５を介して第１駆動モータ７６に連繋されている。そして、第１駆動モータ７６を正転および逆転するように駆動することで、可動台５５が前記可動台用案内レール６０およびレール部材５９ａに沿って左右方向に直線的に往復移動するよう構成される(図３,図１８参照)。
【００５４】
図５に示す如く、前記可動台５５に第１検出片５５ｄが設けられ、該第１検出片５５ｄは、前記第１取付台７２に配設された第１検出手段７７によって検出可能に構成されている。第１検出手段７７は、後述する統括制御手段４３に配線接続されており(図１９参照)、該第１検出手段７７からの検出信号の入力に基づいて統括制御手段４３が第１駆動モータ７６を駆動制御し得るよう構成される。前記第１検出片５５ｄは、第１位置において第１検出手段７７で検出されて、該第１検出手段７７の検出信号の入力に基づいて第１駆動モータ７６を統括制御手段４３が停止制御することで、可動台５５(第２表示装置５６)を第１位置に停止保持し得るよう構成される。第１駆動モータ７６としてステッピングモータが採用され、該第１駆動モータ７６の駆動によって第１位置から移動を開始した可動台５５(第２表示装置５６)を、移動パルス信号の制御によって第２位置で停止するように第１駆動モータ７６を統括制御手段４３で駆動制御し得るよう構成されている。また、第１駆動モータ７６の回転方向について、可動台５５を第１位置から第２位置へ移動させる方向を正転方向、可動台５５を第２位置から第１位置へ移動させる方向を逆転方向と指称する場合もある。
【００５５】
(傾動機構７８について)
前記可動台５５に支持された第２表示装置５６は、前記第２取付部５７ｂに配設された傾動機構７８によって第１位置において可動台５５に対して傾動されて第１姿勢と第２姿勢とに変化し得るよう構成される。傾動機構７８は、第２取付部５７ｂに配設された第２取付台７９に移動自在に配設された作動部材８０と、該作動部材８０を動作する駆動手段としての第２駆動モータ８１とを備える。第２取付台７９には、図１０,図１１に示す如く、前後方向に延在する一対の長孔７９ａ,７９ａが左右方向(可動台５５の往復移動方向)に離間して形成されており、各長孔７９ａに、前記作動部材８０に設けられて上方に突出する対応するガイド体８５が摺動自在に挿通されている。すなわち、第２取付台７９の下面側に位置する作動部材８０は、左右に離間するガイド体８５,８５が長孔７９ａ,７９ａで案内されて該長孔７９ａ,７９ａの延在方向(前後方向)に移動自在に支持されている。実施例では、一方の長孔７９ａには２つのガイド体８５,８５が摺動自在に挿通されるのに対し、他方の長孔７９ａには１つのガイド体８５が摺動自在に挿通されている。
【００５６】
前記作動部材８０は、図１０,図１１に示す如く、基部８２から２本のアーム８３,８４が平行に延出するフォーク状の部材であって、基部８２に、前後に離間して前記一対のガイド体８５,８５が配設されるのに対し、前側の第１アーム８３の延出端に１つのガイド体８５が配設されている。そして、３つのガイド体８５,８５,８５によって第２取付台７９に支持された作動部材８０は、一対のアーム８３,８４の間に画成される係合溝８０ａが第２位置側に開放する姿勢となっている(図１４,図１５参照)。また、第１アーム８３には、左右方向に延在するカム孔８３ａが形成されている。
【００５７】
前記第２取付台７９の下面側に、前記第２駆動モータ８１に連結されて回転駆動される第２駆動歯車８６および該第２駆動歯車８６に噛合する第２作動歯車８７の夫々が、上下方向に延在する軸回りに回動自在に支持されている。第２作動歯車８７の下面(作動部材８０との対向面)には、回転軸心から偏心した位置にカムフォロア８８が一体的に回転するように配設されており、該カムフォロア８８が、前記作動部材８０に形成された前記カム孔８３ａに係合している。すなわち、第２駆動モータ８１を正転および逆転するように駆動することで、図１４，図１５に示す如く、第２作動歯車８７の回転に伴い偏心回転するカムフォロア８８とカム孔８３ａとの係合作用下に、第２取付台７９に対して作動部材８０が長孔７９ａ,７９ａに沿って前後方向に直線的に往復移動するよう構成される。実施例では、作動部材８０は、第１姿勢の第２表示装置５６が可動台５５と共に左右方向に往復移動する際における前記係合突起７０の移動経路上に前記係合溝８０ａが臨む待機位置(図１４(ａ),図１５(ａ))と、該係合溝８０ａが前側に移動した作動位置(図１４(ｂ),図１５(ｂ))との間を往復移動するよう構成される。すなわち、作動部材８０の待機位置では、第１位置と第２位置との間を移動する第１姿勢の第２表示装置５６の係合突起７０が係合溝８０ａに出入り可能に構成される。また、第２表示装置５６が第１位置に至った状態で、係合突起７０が係合溝８０ａの奥側(開放端から離間する端)に位置すると共に、前記規制突起６９が表示用案内レール６１のガイド溝から外れて第２表示装置５６の傾動が許容されるようになっている。従って、第２表示装置５６の第１位置において係合突起７０が係合溝８０ａに入った状態で、作動部材８０を待機位置から作動位置に移動することで、係合突起７０に係合する後側の第２アーム８４で該係合突起７０が押されて第２表示装置５６は前記軸体６８を中心として前側に向けて傾動するよう構成される。
【００５８】
ここで、前記作動部材８０の係合溝８０ａは表示用案内レール６１のガイド溝と平行に延在するよう形成されている。また、前記作動部材８０が待機位置に位置する状態で、前記第２表示装置５６が第１位置から第２位置に移動する際には、前記係合突起７０が作動部材８０の係合溝８０ａから抜ける前に規制突起６９が表示用案内レール６１のガイド溝に進入するように、係合突起７０および規制突起６９の配設位置が設定されている。また、第２表示装置５６が第２位置から第１位置に移動する際においては、規制突起６９が表示用案内レール６１のガイド溝から抜ける前に係合突起７０が作動部材８０の係合溝８０ａに進入するようになっている。すなわち、第２表示装置５６が第１位置と第２位置との間を移動する際に、両突起６９,７０が何れもフリーとなる状態が生ずることはなく、左右方向の移動中における第２表示装置５６の傾動を確実に規制し得るようになっている。
【００５９】
(規制部材８９について)
前記第２取付台７９に、第１位置に位置する第２表示装置５６が第２姿勢となった状態で、該第２表示装置５６(可動台５５)が第２位置へ移動するのを規制する規制部材８９が配設されている。規制部材８９は、前記可動台５５の往復移動方向に延在する軸孔８９ａが形成された軸部８９ｂと、該軸部８９ｂから径方向の外方に延出する規制片８９ｃとを備える。また、第２取付台７９に、可動台５５の往復移動方向に延在する軸ピン９０が配設されており、該軸ピン９０が前記軸孔８９ａに挿通された状態で規制部材８９が第２取付台７９に回動自在に支持されている。そして、規制部材８９は、第２姿勢となった状態での第２表示装置５６における前記規制突起６９の第２位置側に規制片８９ｃが臨む規制位置(図１２(ｂ),図１３(ｂ))と、該規制突起６９の第２位置側から規制片８９ｃが退避する非規制位置(図１２(ａ),図１３(ａ))との間を回動可能に構成されている。すなわち、規制部材８９は規制位置において、第２表示装置５６が第２姿勢となった状態で左右方向に移動する場合における規制突起６９の移動経路上に規制片８９ｃが臨むように構成されており、第２表示装置５６が第２姿勢のまま第２位置に向けて移動する場合には、規制突起６９が規制片８９ｃに当接して第２位置への移動が規制されるようになっている。また、規制部材８９の軸部８９ｂに、一端が第２取付台７９に係合すると共に他端が規制片８９ｃに係合する付勢手段としてのねじりコイルバネ９１が巻かれており、該ねじりコイルバネ９１によって規制部材８９は、常には規制位置に向けて回転付勢されるようになっている。
【００６０】
前記規制部材８９は、前記第２表示装置５６を第１姿勢と第２姿勢との間で傾動させる前記作動部材８０の動作に連動して前記非規制位置と規制位置との間で動作するよう構成されている。すなわち、規制部材８９は、前記規制位置において規制片８９ｃが前記作動部材８０における後側の第２アーム８４の移動経路上に位置しており、該作動部材８０が作動位置から待機位置に移動する際に(第２表示装置５６を第２姿勢から第１姿勢に傾動する動作の際に)、第２アーム８４が規制片８９ｃに当接して規制部材８９はねじりコイルバネ９１の付勢力に抗して非規制位置に回動されるよう構成される。また、作動部材８０の待機位置においては、非規制位置まで回動された規制部材８９の規制片８９ｃが第２アーム８４に当接して規制位置への回動が規制されて(図１３(ａ)参照)、該第２アーム８４によって規制部材８９は非規制位置に保持されるようになっている。そして、作動部材８０が待機位置から作動位置に移動する動作(第２表示装置５６を第１姿勢から第２姿勢に傾動する動作)に連動して規制部材８９は、ねじりコイルバネ９１の付勢力によって非規制位置から規制位置に回動するよう構成される。
【００６１】
前記作動部材８０の前記基部８２に第２検出片８２ａが設けられ、該第２検出片８２ａは、前記第２取付台７９に配設された第２検出手段９２によって検出可能に構成されている。第２検出手段９２は、前記統括制御手段４３に配線接続されており(図１９参照)、該第２検出手段９２からの検出信号の入力に基づいて統括制御手段４３が第２駆動モータ８１を駆動制御し得るようになっている。第２検出片８２ａは、作動部材８０の待機位置において第２検出手段９２で検出されて、該第２検出手段９２の検出信号に基づいて第２駆動モータ８１を統括制御手段４３が停止制御することで、作動部材８０を、前記係合溝８０ａに対して第２表示装置５６の係合突起７０が出入り可能な待機位置に停止保持し得るよう構成される。第２駆動モータ８１としてステッピングモータが採用され、該第２駆動モータ８１の駆動によって待機位置から移動を開始した作動部材８０を、移動パルス信号の制御によって作動位置で停止するように第２駆動モータ８１を統括制御手段４３で駆動制御し得るよう構成されている。また、第２駆動モータ８１の回転方向について、作動部材８０を待機位置から作動位置へ移動させる方向を正転方向、該作動部材８０を作動位置から待機位置へ移動させる方向を逆転方向と指称する場合もある。
【００６２】
(発光装置９３について)
前記支持基体５７における第１取付部５７ａの前面に、発光装置９３が配設されている。この発光装置９３は、図３に示す如く、第１取付部５７ａの前面に配設した発光基板９４と、該発光基板９４の前面に実装された複数のＬＥＤ等の発光体９４ａと、発光基板９４の前側に配設されると共に、複数の透光部が設けられた装飾カバー９５とから構成され、発光体９４ａを点灯することで装飾カバー９５の各透光部から光が前方に照射されるよう構成される。前記第２表示装置５６は、第１位置において装飾カバー９５における全ての透光部の前側に重なるように位置すると共に、第２表示装置５６は、第２位置において装飾カバー９５における全ての透光部の前側に重ならないように位置するよう構成されている。すなわち、第２表示装置５６が第２位置に移動した場合は、該第２表示装置５６で隠れていた装飾カバー９５が前側から視認可能に露出すると共に発光体９４ａによる発光演出によって演出の興趣を高め得るようになっている。
【００６３】
(パチンコ機１０の制御構成について)
次に、パチンコ機１０の制御構成について説明する。実施例のパチンコ機１０には、図１９に示す如く、パチンコ機１０を全体的に制御する制御手段としてのメイン制御手段４２と、該メイン制御手段４２からの制御信号に基づいて各制御対象を制御する制御手段としてのサブ制御手段４３,４４とが設けられている。すなわち、メイン制御手段４２では、パチンコ機１０に備えられた各種検出スイッチ(検出手段)からの検出信号に基づいて各種処理が実行され、その処理結果に応じた各種の制御信号(制御コマンド)がサブ制御手段４３,４４に出力されるようになっている。
【００６４】
実施例のパチンコ機１０には、サブ制御手段として、遊技演出を全体的に制御する統括制御手段４３と、前記第１表示装置１７および第２表示装置５６,５６での表示内容(表示する画像)を制御する表示制御手段４４等を備えている。すなわち、メイン制御手段４２が出力した制御信号(制御コマンド)に基づいて、前記統括制御手段４３が表示制御手段４４を制御するよう構成されており、パチンコ機１０で実行される各種遊技演出(図柄変動演出等)を統括制御手段４３が表統括的にコントロールし得るようになっている。また、統括制御手段４３は、メイン制御手段４２が出力した制御信号(制御コマンド)に基づいて、前記第１および第２可動演出装置Ｎ１,Ｎ２での動作内容を制御するよう構成されている。ここで、表示制御手段４４は、統括制御手段４３から出力された制御信号(制御コマンド)に基づいて、第１表示装置１７および第２表示装置５６,５６に表示される表示演出(画像)の内容を制御するよう構成される。なお、表示演出としては、図柄(飾図)や背景画像等の図柄変動演出やデモ画像演出等がある。
【００６５】
(メイン制御手段４２について)
前記メイン制御手段４２は、制御処理を実行するメイン制御ＣＰＵ、該メイン制御ＣＰＵが実行する制御プログラムを記憶するメイン制御ＲＯＭ、当該メイン制御ＣＰＵの処理に必要なデータの書込み・読出しが可能なメイン制御ＲＡＭ等を備えている。そして、前記始動入賞検出スイッチ４５,４７、特別入賞検出スイッチ５０,５１、球通過検出スイッチ５２等の各種スイッチが前記メイン制御手段４２に接続されている。また、メイン制御手段４２には、前記始動入賞ソレノイド４６および特別入賞ソレノイド４８,４９が接続されており、該メイン制御手段４２での制御処理結果に基づいて各ソレノイド４６,４８,４９を駆動させることで、対応する開閉部材２９ｂや開閉体３０ｂ,３２ｂが開閉するよう構成される。
【００６６】
前記メイン制御手段４２は、前記第１始動入賞口２６ａまたは第２始動入賞口２９ａへパチンコ球が入賞したこと(より具体的には始動入賞検出スイッチ４５,４７がパチンコ球を検出したこと)を契機として特図当りか否かを判定する特図当り抽選(大当り判定ともいう)を実行するよう設定される。ここで、特図当り抽選は、各始動入賞検出スイッチ４５,４７からパチンコ球の検出信号が入力された時点において、メイン制御手段４２に予め設定された多数種類の乱数値(特図当り判定用)の内から１つを取得する乱数抽選が行われ、該取得した乱数値(特図当り判定用)に基づいて特図当りを発生するか否かを決定する。なお、パチンコ機１０は、前記第１および第２始動入賞口２６ａ,２９ａへの入賞を契機として実行される特図当り抽選の結果を示す報知用の特図を特定可能に表示する特図表示部(図示せず)を備え、該特図表示部では、対応する始動入賞検出スイッチ４５,４７によるパチンコ球の検出を契機として複数種類の特図を変動させて特図当り抽選の結果に対応する１つの特図を導出する特図変動表示が行われる。そして、前記第１表示装置１７では、特図表示部に表示される特図に対応する飾図が、図柄変動演出の結果として表示されるように統括制御手段４３(表示制御手段４４)によって制御される。
【００６７】
前記メイン制御手段４２は、前記球通過ゲート２８をパチンコ球が通過したこと(より具体的には球通過検出スイッチ５２がパチンコ球を検出したこと)を契機として普図当りか否かを判定する普図当り抽選を実行するよう設定される。ここで、前記普図当り抽選は、球通過検出スイッチ５２からパチンコ球の検出信号が入力された時点において、メイン制御手段４２に予め設定された多数種類の乱数値(普図当り判定用)の内から１つを取得する乱数抽選が行われ、該取得した乱数値(普図当り判定用)に基づいて普図当りを発生するか否かを決定する。すなわち、メイン制御手段４２は、第１始動入賞口２６ａまたは第２始動入賞口２９ａにパチンコ球が入賞した特定条件が成立したときに、特図当り(当り)か否かの判定を行う特図当り判定手段(当り判定手段)としての機能を有する。またメイン制御手段４２は、球通過ゲート２８をパチンコ球が通過した条件が成立したときに、普図当りか否かの判定を行う普図当り判定手段としての機能を有する。なお、パチンコ機１０は、普図当り抽選の結果を示す報知用の普図を特定可能に表示する普図表示部(図示せず)を備え、該普図表示部では、球通過検出スイッチ５２によるパチンコ球の検出を契機として、複数種類の普図を変動させて普図当り抽選の結果に対応する１つの普図を導出する普図変動表示が行われる。
【００６８】
前記メイン制御手段４２には、複数種類の変動パターンが記憶されている。変動パターンは、前記始動入賞口２６ａ,２９ａへのパチンコ球の入賞を契機として図柄(飾図)の変動が開始してから図柄(飾図)が確定停止表示されるまでの間に実行される演出の基本となるパターンであって、図柄変動演出の変動内容(演出表示内容)および変動時間(演出時間)を特定するものである。メイン制御手段４２に記憶される変動パターンは、大当り用(当り用)変動パターン、はずれ用変動パターン、はずれリーチ用変動パターンとに分類されており、大当り判定の結果に応じてこれら複数種類の変動パターンから１つが選択(決定)される。大当り用変動パターンは、大当り判定の結果が肯定の場合に決定可能な変動パターンであり、はずれ用変動パターンおよびはずれリーチ用変動パターンは、大当り判定の結果が否定の場合に決定可能な変動パターンである。また、メイン制御手段４２は、大当り判定の結果に応じて、図柄変動演出の終了時に停止表示する図柄を決定する。そして、メイン制御手段４２は、決定した変動パターンを指定する変動パターン指定コマンドを統括制御手段４３に出力すると共に、決定した変動パターンに定められている演出時間の経過時に図柄の停止を指示する全図柄停止コマンドを統括制御手段４３に出力するようになっている。すなわち、全図柄停止コマンドは、図柄変動演出の終了を指示するコマンドである。
【００６９】
前記メイン制御手段４２は、前記大当り判定(特図当り抽選)の判定結果が肯定の場合(当りに当選した場合)に図柄変動演出の終了後に付与される大当り遊技において、当選した大当りの種類に応じて選択された前記特別入賞装置３０,３２において、特別入賞口３０ａ,３２ａへのパチンコ球の入賞が阻まれる不利な入賞不能状態(特別入賞口３０ａ,３２ａの開閉体３０ｂ,３２ｂによる閉鎖)と、特別入賞口３０ａ,３２ａへのパチンコ球の入賞が許容される入賞可能状態(特別入賞口３０ａ,３２ａの開閉体３０ｂ,３２ｂによる開放)とに変動されるラウンド遊技を繰返すように前記特別入賞ソレノイド４８,４９を制御するよう構成される。ここで、ラウンド遊技とは、不利な入賞不能状態から有利な入賞可能状態に移行し、再び不利な入賞不能状態に移行するまでを云い、大当り遊技において予め決定された継続回数のラウンド遊技が繰返されるようになっている。また、ラウンド遊技において入賞不能状態から入賞可能状態への移行は、入賞可能状態から入賞不能状態へ移行してからの入賞可能状態の継続時間(特別入賞口３０ａ,３２ａの開放時間)、または入賞可能状態での特別入賞口３０ａ,３２ａへのパチンコ球の入賞数(規定個数)の何れかが、予め設定された値となったことを条件として行われる。またメイン制御手段４２は、前記普図当り抽選で当選した場合(普図当りの場合)に、前記始動入賞ソレノイド４６を駆動制御して開閉部材２９ｂを所定の動作パターンで開閉動作するよう構成される。
【００７０】
実施例のパチンコ機１０は、大当り遊技の終了後に遊技者に有利な遊技状態として確変状態を付与する機能を備えている。確変状態は、前記特別入賞口３０ａ,３２ａへのパチンコ球の入賞契機が、当該確変状態が付与されていない非確変状態に較べて増加する状態である。具体的には、確変状態では、特図当り確率(特図当り抽選において大当りに当選する確率)を低確率から高確率に変動することにより特別入賞口３０ａ,３２ａへのパチンコ球の入賞契機を増加することができる。このように、確変状態が付与されると、特図当りの抽選確率が高確率に変動して大当り遊技が生起され易くなるため、確変状態は遊技者にとって有利である。
【００７１】
また、実施例のパチンコ機１０は、大当り遊技の終了後に遊技者に有利な遊技状態として変短状態を付与する機能を備えている。この変短状態としては、前記第２始動入賞口２９ａへのパチンコ球の入賞契機が、当該変短状態が付与されていない非変短状態と較べて増加する入賞率向上状態である。変短状態において第２始動入賞口２９ａへのパチンコ球の入賞契機が当該変短状態が付与されていない状態と較べて増加する具体例としては、変短状態では、(1)普図当り抽選に伴う普図変動表示の変動時間の短縮、(2)普図当り抽選確率(普図当り抽選において当りに当選する確率)を低確率から高確率に変動、(3)普図当り１回についての第２始動入賞口２９ａを開放する開閉部材２９ｂの開放時間を増やすこと、により第２始動入賞口２９ａへのパチンコ球の入賞契機を増加することができる。なお、変短状態では、上記(1)〜(3)を単独または複数を組み合わせることができる。本実施例では、大当り遊技、確変状態で行われる遊技および変短状態で行われる遊技が、遊技者に有利な特別遊技である。なお、枠状装飾体２５の右側の遊技領域２１ａに球通過ゲート２８および第２始動入賞口２９ａを配置した実施例の盤面構成では、大当り遊技および変短状態が付与された場合に「右打ち」を実行することで、当該大当り遊技および変短状態に係る特典を効率的に享受させ得るよう構成されている。
【００７２】
前記確変状態および変短状態は、各始動入賞口２６ａ,２９ａへの入賞を契機としてメイン制御手段４２で実行される特図当り抽選で当選した大当りの種類(具体的には大当り図柄の種類)が、予め定めた確変図柄および変短図柄であることを条件として、大当り遊技の終了後に付与される。すなわち、メイン制御手段４２は、始動入賞口２６ａ,２９ａへの入賞を契機として、遊技者に有利な特別遊技を図柄変動演出の終了後に付与するか否かを判定する特別遊技実行判定手段としての機能を備えている。
【００７３】
(統括制御手段４３について)
前記統括制御手段４３には、制御処理を実行する統括制御ＣＰＵ、該統括制御ＣＰＵが実行する制御プログラムを記憶する統括制御ＲＯＭ、当該統括制御ＣＰＵの処理に必要なデータの書込み・読出しが可能な統括制御ＲＡＭ等が備えられている。統括制御手段４３には、図柄変動演出において実行する図柄変動演出の具体的な演出内容および図柄変動演出に伴って第２表示装置５６,５６(可動演出装置Ｎ１,Ｎ２)の具体的な動作内容を特定する演出パターンが記憶されている。前記演出パターンは前記変動パターンに対応付けられており、メイン制御手段４２により決定された変動パターンに基づいて対応する演出パターンを統括制御手段４３が決定するようになっている。なお、前記演出パターンは、前記変動パターンに対して一対一の関係で対応付けられたものではなく、１つの変動パターンに対して複数の演出パターンが対応付けられている。また、統括制御手段４３には、表示制御手段４４を統括的に制御するための統括制御プログラムが記憶されている。そして、統括制御手段４３は、各種制御コマンドを入力すると、当該統括制御プログラムに基づき各種制御を実行する。
【００７４】
前記統括制御手段４３には、図１９に示す如く、前記第１駆動モータ７６,７６、第２駆動モータ８１,８１が接続されている。また、統括制御手段４３には、前記第１検出手段７７,７７、第２検出手段９２,９２が接続されており、該統括制御手段４３での制御処理結果に基づいて各モータ７６,７６,８１,８１を駆動させることで、対応する第２表示装置５６,５６が移動(動作)するよう構成されている。すなわち、統括制御手段４３は、第２表示装置５６,５６(可動演出装置Ｎ１,Ｎ２)を制御する動作演出制御手段としての機能を有する。また統括制御手段４３には、前記ランプ装置１８およびスピーカ１９が接続されている。
【００７５】
(表示制御手段４４について)
前記表示制御手段４４は、制御処理を実行する表示制御ＣＰＵ、該表示制御ＣＰＵが実行する制御プログラムや各種データを記憶する表示制御ＲＯＭ、当該表示制御ＣＰＵの処理に必要なデータの書込み・読出しが可能な表示制御ＲＡＭ等を備えている。そして、表示制御手段４４には、図１９に示す如く、第１表示装置１７および第２表示装置５６,５６が接続される。なお、表示制御手段４４の表示制御ＲＯＭには、具体的には第１表示装置１７および第２表示装置５６,５６の表示内容を制御するための表示制御プログラムや各種の画像データ(図柄、各種背景画像、文字、キャラクタなどの画像データ)が記憶されている。
【００７６】
(図柄変動演出時の第２表示装置５６,５６の動作について)
前記始動入賞口２６ａ,２９ａへのパチンコ球の入賞を契機としてメイン制御手段４２から出力された変動パターン指定コマンドが統括制御手段４３に入力されると、該統括制御手段４３は、変動パターン指定コマンドで指定される変動パターンに対応する前記演出パターンを決定し、該演出パターンに基づいて前記可動演出装置Ｎ１,Ｎ２を制御するよう構成される。演出パターンで特定される第２表示装置５６,５６の動作パターンとしては、２つの第２表示装置５６,５６(可動台５５,５５)を第１位置に保持した状態で、両第２表示装置５６,５６を第１姿勢と第２姿勢との間で傾動する第１動作パターンＰ１、２つの第２表示装置５６,５６(可動台５５,５５)を第１位置に保持した状態で、一方の第２表示装置５６のみを第１姿勢と第２姿勢との間で傾動する第２動作パターンＰ２、２つの第２表示装置５６,５６(可動台５５,５５)を第１位置と第２位置との間で往復移動する第３動作パターンＰ３、一方の第２表示装置５６(可動台５５)を第１位置に保持した状態で、他方の第２表示装置５６(可動台５５)を第１位置と第２位置との間で往復移動する第４動作パターンＰ４が設定されている(図２０参照)。そして、前記第１表示装置１７(第１表示部１７ａ)で図柄変動演出が行われている状態で、統括制御手段４３が決定した演出パターンに基づいて第２表示装置５６,５６を動作することで、演出の興趣を向上し得るようになっている。なお、第２表示装置５６,５６の動作パターンとしては、上記４種類に限らずその他の動作パターンを設定してもよい。また、演出パターンと動作パターンとは１対１の関係でなく、１つの演出パターンに対して複数の動作パターンが組み合わされて設定されたものであってもよい。
【００７７】
(図柄変動演出時の第１表示装置１７、第２表示装置５６,５６の表示演出について)
前記統括制御手段４３は、前記動作パターンＰ１〜Ｐ４を決定すると、各動作パターンＰ１〜Ｐ４に対応する動作パターン演出コマンドを表示制御手段４４に出力するよう設定される。そして、表示制御手段４４では、動作パターン演出コマンドが入力されると、該コマンドで特定される演出パターンに対応する演出内容を示す表示データを選択し、該演出パターンに対応した表示内容で図柄変動演出を実行させるように第１表示装置１７および第２表示装置５６,５６を制御するよう構成される。演出パターンで特定される第１表示装置１７および第２表示装置５６,５６で表示される表示パターンとしては、図２０に示す如く、前記第１動作パターンＰ１に対応する第１一連表示パターンＲ１−１、第１非一連表示パターンＲ１−２、前記第２動作パターンＰ２に対応する第２一連表示パターンＲ２−１、第２非一連表示パターンＲ２−２、前記第３動作パターンＰ３に対応する第３一連表示パターンＲ３−１、第３非一連表示パターンＲ３−２、前記第４動作パターンＰ４に対応する第４一連表示パターンＲ４−１、第４非一連表示パターンＲ４−２が設定される。
【００７８】
前記一連表示パターンＲ１−１〜Ｒ４−１は、前記枠状装飾体２５の窓口２５ａを介して前側に露出する複数の表示部１７ａ,５６ａ,５６ａに個々に表示された画像によって一連の画像が形成される表示パターンであり、非一連表示パターンＲ１−２〜Ｒ４−２は、枠状装飾体２５の窓口２５ａを介して前側に露出する複数の表示部１７ａ,５６ａ,５６ａに個々に表示された画像によって一連の画像が形成されない表示パターンである。ここで、第１表示部１７ａに表示される画像を第１画像Ｇ１と指称し、左側の第２表示部５６ａに表示される画像を第２画像Ｇ２と指称し、右側の第２表示部５６ａに表示される画像を第３画像Ｇ３と指称すると共に、複数の画像によって形成される一連の画像については、一連画像ＳＧと指称する。なお、一連表示パターンＲ１−１〜Ｒ４−１および非一連表示パターンＲ１−２〜Ｒ４−２に表示される各画像は、背景やキャラクタ等が異なる複数種類が設定されている。
【００７９】
前記第１動作パターンＰ１によって第１表示部１７ａを挟んで第２表示部５６ａ,５６ａが左右両側に並んで位置した状態(図２参照)で第２表示装置５６,５６が姿勢変化する形態において選択される前記第１一連表示パターンＲ１−１は、第１表示部１７ａに表示される第１画像Ｇ１と、左側に位置する第２表示部５６ａに表示される第２画像Ｇ２と、右側に位置する第２表示部５６ａに表示される第３画像Ｇ３とによって一連画像ＳＧが形成される表示パターンである。例えば、第１一連表示パターンＲ１−１では、図２１(ａ)に示す如く、左側の第２表示部５６ａに第２画像Ｇ２として魚の頭部が表示され、第１表示部１７ａに第１画像Ｇ１として魚の胴部が表示され、右側の第２表示部５６ａに第３画像Ｇ３として魚の尾が表示されることで、全体として一匹の魚(一連画像ＳＧ)が表示される。なお、第１動作パターンＰ１では、左右の第２表示装置５６,５６の夫々が傾動する中心位置(軸体６８での支持部)が、第１画像Ｇ１に対する第２画像Ｇ２および第３画像Ｇ３の繋ぎ目側となっているので、各第２表示部５６ａ,５６ａが傾動しても第１画像Ｇ１に対して第２画像Ｇ２および第３画像Ｇ３がずれて一連画像ＳＧが正常に見えなくなるのは抑制される。
【００８０】
前記第２動作パターンＰ２によって第１表示部１７ａを挟んで第２表示部５６ａ,５６ａが左右両側に並んで位置した状態で一方の第２表示装置５６,５６が姿勢変化する形態において選択される前記第２一連表示パターンＲ２−１は、前記第１一連表示パターンＲ１−１と基本的には同じであって、第１〜第３画像Ｇ１,Ｇ２,Ｇ３によって一連画像ＳＧが形成される表示パターンである。第２動作パターンＰ２では、左右何れか一方の第２表示装置５６が傾動する中心位置(軸体６８での支持部)が、第１画像Ｇ１に対する第２画像Ｇ２または第３画像Ｇ３の繋ぎ目側となっているので、一方の第２表示部５６ａが傾動しても第１画像Ｇ１に対して第２画像Ｇ２または第３画像Ｇ３がずれて一連画像ＳＧが正常に見えなくなるのは抑制される。
【００８１】
前記第３動作パターンＰ３によって第２表示装置５６,５６が左右方向に往復移動する形態において選択される前記第３一連表示パターンＲ３−１は、両第２表示装置５６,５６が第２位置に移動して第２表示部５６ａ,５６ａが左右に並んだ状態(図２１参照)で、左側に位置する第２表示部５６ａに表示される第２画像Ｇ２と、右側に位置する第２表示部５６ａに表示される第３画像Ｇ３とによって一連画像ＳＧが形成される表示パターンである。例えば、第３一連表示パターンＲ３−１では、図２１(ｂ)に示す如く、左側の第２表示部５６ａに第２画像Ｇ２として魚を２分割した頭部側が表示されるのに対し、右側の第２表示部５６ａに第３画像Ｇ３として魚を２分割した魚の尾側が表示されることで、全体として一匹の魚(一連画像ＳＧ)が表示される。
【００８２】
前記第４動作パターンＰ４によって一方の第２表示装置５６が第１位置に保持されたもとで、他方の第２表示装置５６が左右方向に往復移動する形態において選択される前記第４一連表示パターンＲ４−１は、前記第１一連表示パターンＲ１−１と基本的には同じであって、第１〜第３画像Ｇ１,Ｇ２,Ｇ３によって一連画像ＳＧが形成される表示パターンである。但し、第４一連表示パターンＲ４では、図２１(ｃ)に示す如く、一方の第２表示装置５６が第１位置に保持されると共に、他方の第２表示装置５６が第２位置に保持された状態で、第１〜第３画像Ｇ１,Ｇ２,Ｇ３によって一連画像ＳＧが形成される表示パターンを含んでいる。すなわち、第１位置に位置する左側の第２表示部５６ａに第２画像Ｇ２として魚の頭部が表示され、第１表示部１７ａに第１画像Ｇ１として魚の胴部が表示され、第２位置に位置する右側の第２表示部５６ａに第３画像Ｇ３として魚の尾が表示されることで、全体として一匹の魚(一連画像ＳＧ)が表示される表示パターンと、第２位置に位置する左側の第２表示部５６ａに第２画像Ｇ２として魚の頭部が表示され、第１表示部１７ａに第１画像Ｇ１として魚の胴部が表示され、第１位置に位置する右側の第２表示部５６ａに第３画像Ｇ３として魚の尾が表示されることで、全体として一匹の魚(一連画像ＳＧ)が表示される表示パターンとを含んでいる。
【００８３】
ここで、前記第１一連表示パターンＲ１−１、第２一連表示パターンＲ２−１および第４一連表示パターンＲ４−１は、３つの表示部１７ａ,５６ａ,５６ａで表示される画像を繋ぎ合わせて一連画像ＳＧを形成する表示パターンの他に、第１画像Ｇ１と第２画像Ｇ２を繋ぎ合わせて一連画像ＳＧを形成する表示パターン、第１画像Ｇ１と第３画像Ｇ３を繋ぎ合わせて一連画像ＳＧを形成する表示パターンを含んでいる。すなわち、第１表示部１７ａに表示される第１画像Ｇ１と、一方の第２表示部５６ａに表示される第２画像Ｇ２または第３画像Ｇ３を繋ぎ合わせて一連画像ＳＧを形成する表示パターンを含んでいる。そして、一連画像ＳＧを形成しない第２表示部５６ａに表示される第２画像Ｇ２または第３画像Ｇ３は、一連画像ＳＧに関連する画像が表示されるように設定される。
【００８４】
なお、図２１に示す画像Ｇ１,Ｇ２,Ｇ３は一例であって、一連画像ＳＧの向きは左向き(頭が左で尾が右)に限らず右向き(頭が右で尾が左)であってもよい。また、一連画像ＳＧに向きがないものであってもよく、複数の画像を繋ぎ合わせることで１つの物が認識できるものであればよい。
【００８５】
(特別遊技での第２表示装置５６,５６の演出について)
前記統括制御手段４３は、前記特別遊技(大当り遊技、確変状態、変短状態)が行われる場合は、前記可動演出装置Ｎ１,Ｎ２を制御し、前記第２表示装置５６,５６を、前記図柄変動演出時と同様の動作パターンで動作することで、遊技の興趣を高めるよう構成される。また、統括制御手段４３は、特別遊技が行われる場合に、前記第１表示装置１７および第２表示装置５６,５６を制御し、前記第１表示部１７ａ、第２表示部５６ａ,５６ａにおいて特定の演出(大当り演出、図柄変動演出、予告演出等)を行わせるよう構成される。具体的には、特別遊技が行われる場合に統括制御手段４３から特別遊技指定コマンドが表示制御手段４４に出力される。そして、表示制御手段４４では、特別遊技指定コマンドが入力されると、該コマンドで特定される演出パターンに対応する演出内容を示す表示データを選択し、該演出パターンに対応した表示内容の演出を実行させるように第１表示装置１７および第２表示装置５６,５６を制御するよう構成されている。また、特別遊技での表示装置１７,５６,５６の表示パターンについても、前記図柄変動演出時と同様に、動作パターンに対応する表示パターンが決定されて表示されるようになっている。
【００８６】
〔実施例の作用〕
次に、前述した実施例に係るパチンコ機１０の作用につき説明する。
【００８７】
前記前枠１３に設けられた前記操作ハンドル１６の操作レバー１６ａを遊技者が回転操作すると、前記打球発射装置から発射されたパチンコ球が前記板状部材２１の遊技領域２１ａ内に打ち出される。この遊技領域２１ａに打ち出されたパチンコ球は、前記枠状装飾体２５の外周囲を流下し、該パチンコ球が前記始動入賞口２６ａ,２９ａに入賞すると、前記統括制御手段４３および表示制御手段４４の制御に基づいて前記第１表示装置１７の第１表示部１７ａにおいて図柄(飾図)が変動開始され、所要の図柄変動演出が展開される。第１表示部１７ａで展開される図柄変動演出の結果、該第１表示部１７ａに所定の図柄組合わせで図柄が停止表示されたときに大当りが発生する。そして、大当りが発生すると、第１表示装置１７の第１表示部１７ａに表示された図柄組み合わせ(大当りの種類)に応じて、前記板状部材２１の下部に設けられた第１特別入賞装置３０の第１特別入賞口３０ａまたは第２特別入賞装置３２の第２特別入賞口３２ａの何れかが開放され、遊技者は多くの賞球が獲得可能となる。
【００８８】
前記第１表示装置１７の第１表示部１７ａで展開される図柄変動演出に応じて、前記統括制御手段４３の制御に基づいて前記可動演出装置Ｎ１,Ｎ２の各第２表示装置５６,５６が動作されて動的な演出により遊技の興趣が高められる。また、前記表示制御手段４４の制御に基づいて、第２表示装置５６,５６の第２表示部５６ａ,５６ａにおいて第１表示部１７ａで展開される図柄変動演出に対応する演出(画像)が表示されて、第１表示部１７ａおよび第２表示部５６ａ,５６ａでの表示演出の組み合わせによって遊技の興趣が高められる。更には、第１表示部１７ａでの図柄変動演出に応じてパチンコ機１０に配設されたランプ装置１８で発光演出が行われたりスピーカ１９で音声演出が行われることで、遊技の興趣がより高められる。
【００８９】
(第１および第２可動演出装置Ｎ１,Ｎ２の作用について)
前記第１可動演出装置Ｎ１および第２可動演出装置Ｎ２は、前述したように左右対称であって、第２表示装置５６,５６の動作形態は同じであるので、第１可動演出装置Ｎ１の作用について詳細に説明するものとし、第２可動演出装置Ｎ２における第２表示装置５６の動作については、第１可動演出装置Ｎ２における第２表示装置５６の動作と関連する部分についてのみ説明するものとする。
【００９０】
前記第１可動演出装置Ｎ１において、前記可動台５５が第１位置に位置すると共に第２表示装置５６が第１姿勢となっている状態(図３)で前記第２駆動モータ８１を正転方向に回転するように駆動すると、前記作動部材８０が第２作動歯車８７のカムフォロア８８とカム孔８３ａとの係合作用下に、該作動部材８０が待機位置から作動位置に向けて移動する(図１４,図１５参照)。作動部材８０の移動に伴って該作動部材８０の係合溝８０ａ内に位置する前記係合突起７０が前側に変位することで、図１４(ｂ),図１５(ｂ)に示す如く、前記第２表示装置５６は、前記軸体６８を中心として変位側端部が前側に変位するように傾動する。第２駆動モータ８１が予め設定された回転数(パルス数)だけ回転すると、前記統括制御手段４３により第２駆動モータ８１が停止制御され、前記作動部材８０が作動位置で停止すると共に、第２表示装置５６は第２姿勢で停止する。すなわち、第２表示装置５６の第２表示部５６ａが、前記第１表示装置１７の第１表示部１７ａに沿う第１姿勢から第１表示部１７ａの中央前側を向く斜めの第２姿勢に変化することで(図３,図１６参照)、該第２表示部５６ａに表示されている画像Ｇ２(Ｇ３)の遊技者からの見え方が変わって興趣が向上される。
【００９１】
前記作動部材８０の待機位置から作動位置への移動に伴って、図１２(ｂ)，図１３(ｂ)，図１４(ｂ)に示す如く、前記規制部材８９がねじりコイルバネ９１の付勢力によって非規制位置から規制位置に移動し、前記第１位置において第２姿勢となった第２表示装置５６の前記規制突起６９の第２位置側に前記規制片８９ｃが臨むようになる。すなわち、規制部材８９が規制位置に位置する状態では、第２姿勢となっている第２表示装置５６の第２位置側への移動が規制片８９ｃによって規制される。従って、第２表示装置５６が傾動した第２姿勢のまま第２位置に向けて移動するのを規制することができ、該第２表示装置５６が他の部材と干渉するのを防止し得る。また、規制部材８９は、第２表示装置５６を傾動する作動部材８０の動作に連動するよう構成したので、該第２表示装置５６が第２姿勢に傾動された際には第２位置に向けて移動するのを確実に防止し得る。また、規制部材８９を動作させる別の駆動源を省略することができるので、傾動機構７８の小型化を図ると共に製造コストを低減し得る。
【００９２】
前記作動部材８０が作動位置に位置する状態から第２駆動モータ８１を逆転方向に回転するように駆動すると、前記第２作動歯車８７のカムフォロア８８とカム孔８３ａとの係合作用下に作動部材８０は待機位置に向けて移動する。作動部材８０の移動に伴って係合溝８０ａ内に位置する前記係合突起７０が該作動部材８０に押されて後方に移動することで、第２表示装置５６は軸体６８を中心として第１姿勢に向けて傾動する(図１４(ａ),図１５(ａ)参照)。そして、前記第２検出手段９２が作動部材８０の第２検出片８２ａを検出すると、前記統括制御手段４３により第２駆動モータ８１が停止制御され、作動部材８０は待機位置で停止する。また、前記作動部材８０の作動位置から待機位置への移動に伴って、図１２(ａ),図１３(ａ)に示す如く、前記規制部材８９が作動部材８０の第２アーム８４で押されて規制位置から非規制位置に移動し、該作動部材８０の待機位置では該第２アーム８４によって規制部材８９は、規制片８９ｃが前記規制突起６９の第２位置側から退避した位置に保持される。すなわち、第２表示装置５６が第１姿勢となっている状態では、該第２表示装置５６の第２位置への移動は許容される。
【００９３】
前記第１可動演出装置Ｎ１において、前記可動台５５が第１位置に位置する状態(第２表示装置５６は第１姿勢となっている状態)で前記第１駆動モータ７６を正転方向に回転するように駆動すると、前記第１駆動歯車７４、従動歯車７５、第１作動歯車７３およびラック５５ａとの噛合作用下に、可動台５５は、上下のレール部５８,５９で案内されて窓口中央側に向けて直線的に移動する。前記第２表示装置５６の第２位置に向けた移動途中において、前記規制突起６９が前記表示用案内レール６１のガイド溝に出入口６１ａから進入し、以後は該規制突起６９が表示用案内レール６１で係合案内されて第２表示装置５６は第１姿勢を維持したまま第２位置に向けて移動する。そして、第１駆動モータ７６が予め設定された回転数(パルス数)だけ回転すると、前記統括制御手段４３により第１駆動モータ７６が停止制御され、前記可動台５５および第２表示装置５６は、図１７,図１８に示す如く、前記枠状装飾体２５における窓口２５ａの中央側に最も移動した第２位置で停止する。前記可動台５５が第１位置から第２位置に移動する際には、規制突起６９が表示用案内レール６１で係合案内されて第２表示装置５６の傾動は規制されているので、意図しないときに第２表示装置５６が傾動して他部材と干渉するのを防止することができる。また、第２表示装置５６が第１位置から第２位置に移動する際に、前記係合突起７０が作動部材８０の係合溝８０ａから抜ける前に規制突起６９が表示用案内レール６１のガイド溝に進入するので、両突起６９,７０が何れもフリーとなる状態が生ずることはなく、左右方向への移動中における第２表示装置５６の傾動は確実に規制される。
【００９４】
前記可動台５５および第２表示装置５６が第２位置に位置する状態から前記第１駆動モータ７６を逆転方向に回転するように駆動すると、前記第１作動歯車７３とラック５５ａとの噛合作用下に可動台５５および第２表示装置５６は第１位置に向けて移動する。第２表示装置５６が第１位置に近づくと、前記係合突起７０が、待機位置に位置する前記作動部材８０の係合溝８０ａに進入し、該係合突起７０の前後方向の変位が作動部材８０により規制される。次いで、第２表示装置５６の前記規制突起６９が前記表示用案内レール６１のガイド溝から離間することで、当該規制突起６９の前後方向の変位は許容された状態となる。そして、前記第１検出手段７７が可動台５５の第１検出片５５ｄを検出すると、前記統括制御手段４３により第１駆動モータ７６が停止制御され、可動台５５および第２表示装置５６は第１位置で停止する。
【００９５】
前記第２表示部５６ａで表示演出を行う第２表示装置５６を、前記第１表示装置１７における第１表示部１７ａの前側で移動するよう構成したので、第２表示装置５６による動作演出に加えて、第２表示部５６ａに表示される画像の位置が物理的に移動することでインパクトのある演出を行うことができ、遊技の興趣を向上し得る。また、第２表示装置５６は、単に左右方向に直線的に往復移動する動作のみでなく、往復移動方向と交差する回転軸回りに傾動する動作を行うことで、第２表示部５６ａに表示される画像の遊技者からの見え方を物理的に変えることができるので、遊技者によりインパクトを与えることができる。
【００９６】
実施例では、前記第１表示装置１７における第１表示部１７ａの左右両側に可動演出装置Ｎ１,Ｎ２を配設し、図３,図１８に示す如く、該第１表示部１７ａの前側で対向する第２表示装置５６,５６を近接・離間移動するよう構成してあるので、第１表示部１７ａで行われる図柄変動演出と第２表示装置５６,５６の動作演出との組み合わせによって興趣を向上することができる。また、第１表示部１７ａの左右両側に位置する一対の第２表示装置５６,５６は、枠状装飾体２５の窓口縁部側と窓口中央側との間を直線的に移動するのみでなく、図１６に示す如く、窓口縁部側の第１位置において傾動する動作を行うので、図柄変動演出との組み合わせによる一層の興趣向上を図り得る。
【００９７】
(第１および第２可動演出装置Ｎ１,Ｎ２の表示による作用について)
前記第１および第２可動演出装置Ｎ１,Ｎ２の各可動台５５および第２表示装置５６が第１位置に位置する状態では、図２に示す如く、前記枠状装飾体２５の窓口２５ａには、中央に第１表示装置１７の第１表示部１７ａが露出すると共に、該第１表示部１７ａの左右両側に第２表示装置５６,５６の第２表示部５６ａ,５６ａが並んで露出している。前記統括制御手段４３により決定された第１動作パターンＰ１に基づいて前記表示制御手段４４が第１一連表示パターンＲ１−１を決定した場合は、図２１(ａ)に示す如く、左右方向に並んだ３つの表示部１７ａ,５６ａ,５６ａに個々に表示された画像Ｇ１,Ｇ２,Ｇ３により一連画像ＳＧが形成される。
【００９８】
実施例では、単に平面的な画面に一連の画像が形成されるものではないので、新鮮で今までにない視覚効果が得られ、遊技の興趣を向上することができる。また、第１表示部１７ａの左右両側に位置する第２表示装置５６,５６を第１姿勢から第２姿勢に変位することで(図１６参照)、該第２表示装置５６,５６の第２表示部５６ａ,５６ａに表示されている画像Ｇ２,Ｇ３が第１表示部１７ａの中央前側に向けて斜めとなり、一連画像ＳＧに立体感(奥行き感)を付与して遊技者にインパクトを与えて、興趣をより高めることができる。すなわち、平面的な表示画面に画像を立体的に表示可能な高価な３Ｄ表示装置を用いることなく立体感をだすことができ、低コストでインパクトのある表示演出を行い得る。また、第２表示装置５６は、第１表示部１７ａに表示されている第１画像Ｇ１と第２表示部５６ａに表示されている第２画像Ｇ２および第３画像Ｇ３の繋ぎ目側の端部を中心として傾動するので、第２表示装置５６の傾動前と傾動後での両表示装置１７,５６における第１画像Ｇ１と第２画像Ｇ２および第３画像Ｇ３の繋がりを一定に維持することができる。
【００９９】
なお、前記統括制御手段４３により決定された第２動作パターンＰ２に基づいて前記表示制御手段４４が第２一連表示パターンＲ２−１を決定した場合においても、前記第１一連表示パターンＲ１−１と同様に、左右方向に並んだ３つの表示部１７ａ,５６ａ,５６ａに個々に表示された画像Ｇ１,Ｇ２,Ｇ３により一連画像ＳＧが形成されて、興趣を高めることができる。
【０１００】
前記統括制御手段４３により決定された第３動作パターンＰ３に基づいて、前記第１駆動モータ７６,７６が駆動制御されると、図１７,図１８に示す如く、左右の第２表示装置５６,５６が第１表示部１７ａの前側において相互に近接して該第１表示部１７ａを略全面的に隠すインパクトのある演出が行われ、興趣を向上し得る。そして、第３動作パターンＰ３に基づいて前記表示制御手段４４が第３一連表示パターンＲ３−１を決定した場合は、図２１(ｂ)に示す如く、前記枠状装飾体２５の窓口２５ａの中央で並ぶ第２表示部５６ａ,５６ａに表示される画像Ｇ２,Ｇ３により一連画像ＳＧが形成され、遊技者にインパクトを与えることができる。
【０１０１】
また、前記統括制御手段４３により決定された第４動作パターンＰ４に基づいて、第１および第２可動演出装置Ｎ１,Ｎ２の何れか一方の第１駆動モータ７６が駆動制御され、一方の第２表示装置５６のみが第１表示部１７ａの前側中央側に移動して第２位置で停止することで、第１表示部１７ａを部分的に隠すインパクトのある演出が行われ、興趣を向上し得る。そして、統括制御手段４３により決定された第４動作パターンＰ４に基づいて前記表示制御手段４４が第４一連表示パターンＲ４−１を決定した場合においては、図２１(ｃ)に示す如く、左右方向に並んだ３つの表示部１７ａ,５６ａ,５６ａに個々に表示された画像Ｇ１,Ｇ２,Ｇ３により一連画像ＳＧが形成されて、興趣を高めることができる。
【０１０２】
実施例のパチンコ機１０では、複数の表示装置１７,５６ａ,５６ａの表示部１７ａ,５６ａ,５６ａに個々に表示される複数の画像Ｇ１,Ｇ２,Ｇ３によって一連画像ＳＧを形成し得るので、第２表示装置５６,５６の左右方向の往復動作および傾動動作に加えて、複数の表示装置１７,５６ａ,５６ａでのインパクトのある表示演出を行うことができ、遊技の興趣を向上し得る。また、第１一連表示パターンＲ１−１、第２一連表示パターンＲ２−１および第４一連表示パターンＲ４−１において、複数の表示部１７ａ,５６ａ,５６ａに表示される画像Ｇ１,Ｇ２,Ｇ３によって一連画像ＳＧを形成する際には、定位置に固定配置されている第１表示装置１７の第１表示部１７ａに表示される第１画像Ｇ１を基準とすることができるので、一連画像ＳＧを適正に表示し得る。
【０１０３】
〔別実施例〕
図２２,図２３は、第１および第２可動演出装置Ｎ１,Ｎ２の別実施例を示すものであって、両可動演出装置Ｎ１,Ｎ２は左右対称であるので、第１可動演出装置Ｎ１の構成について説明し、第２可動演出装置Ｎ２については第１可動演出装置Ｎ１と同じ部材に同一の符号を付して詳細説明は省略する。また、実施例と共通の構成部分については、説明を省略する。
【０１０４】
別実施例の第１可動演出装置Ｎ１は、逆コ字状(第２可動演出装置Ｎ２はコ字状)の可動台１００における上下に離間する張出し部１００ａ,１００ａ間に、左右方向の各端部において切替え軸１０１,１０２を介して第２表示装置(可動式の表示装置)１０３が選択的に回動可能に支持されるよう構成される。第２表示装置１０３には、第１位置において第１表示装置１７における第１表示部１７ａの中央側に近接する一方の端部(固定式の表示装置に近接する端部)に第１切替え軸１０１が上下に出没可能に配設されると共に、第１表示部１７ａの中央側から離間する他方の端部(固定式の表示装置から離間する端部)に第２切替え軸１０２が上下に出没可能に配設されている。各切替え軸１０１,１０２は、第２表示装置１０３に設けられた対応する作動機構１０４,１０４によって第２表示装置１０３から突出する支持位置と第２表示装置１０３に没した非支持位置との間で移動されるよう構成されている。また、前記可動台１００における上下の張出し部１００ａ,１００ａには、第１切替え軸１０１に対応する位置に該第１切替え軸１０１が挿脱可能な第１支持凹部１０５が夫々設けられると共に、第２切替え軸１０２に対応する位置に該第２切替え軸１０２が挿脱可能な第２支持凹部１０６が夫々設けられている。そして、作動機構１０４,１０４により切替え軸１０１,１０２が支持位置に移動されることで、該切替え軸１０１,１０２が対応する支持凹部１０５,１０６に挿入されて回動自在に支持されると共に、該作動機構１０４,１０４により切替え軸１０１,１０２が非支持位置に移動されることで、該切替え軸１０１,１０２が支持凹部１０５,１０６から離間して支持状態が解除されるよう構成される。
【０１０５】
また、別実施例の第１可動演出装置Ｎ１は、可動台１００が第１位置に位置した状態で、前記第２表示装置１０３における第１表示部１７ａの中央側から離間する端部に係脱自在に係合して、該端部を前側に変位させる第１傾動機構(図示せず)および第２表示装置１０３における第１表示部１７ａの中央側に近接する端部に係脱自在に係合して、該端部を後側に変位させる第２傾動機構(図示せず)を備えている。なお、別実施例において可動台１００は、実施例と同じ駆動機構によって左右方向に往復移動するよう構成されている。
【０１０６】
別実施例の第１可動演出装置Ｎ１では、作動機構１０４,１０４により両切替え軸１０１,１０２を支持位置に移動して両切替え軸１０１,１０２を対応する支持凹部１０５,１０６に挿入することで、可動台１００に対して第２表示装置１０３は第２表示部１０３ａが第１表示部１７ａに沿う第１姿勢に保持される。そして、第２表示装置１０３の第１姿勢において、第１切替え軸１０１を支持位置に保持したまま、作動機構１０４により第２切替え軸１０２を非支持位置に移動することで、前記可動台１００に対して第２表示装置１０３は、第１表示部１７ａの中央側に近接する端部側を支点として傾動可能な第１状態に切り替えられる。この第１状態で、第１傾動機構により第２表示装置１０３における第１表示部１７ａの中央側から離間する端部を前側に変位させることで、該第２表示装置１０３は第２表示部１０３ａが傾斜する第２姿勢となる(図２３(ｂ)参照)。また、作動機構１０４により第２切替え軸１０２を支持位置に移動すると共に、作動機構１０４により第１切替え軸１０１を非支持位置に移動することで、前記可動台１００に対して第２表示装置１０３は、第１表示部１７ａの中央側から離間する端部側を支点として傾動可能な第２状態に切り替えられる。この第２状態で、第２傾動機構により第２表示装置１０３における第１表示部１７ａの中央側に近接する端部を後側に変位させることで、該第２表示装置１０３は第２表示部１０３ａが傾斜する第２姿勢となる(図２３(ｃ)参照)。すなわち、別実施例の可動演出装置Ｎ１(Ｎ２)は、可動台１０に対して切替え軸１０１,１０２による支持位置を切り替えることで、第１表示装置１７に近接する端部を支点として離間する端部が前側に変位する第１状態と、第１表示装置１７から離間する端部を支点として近接する端部が後側に変位する第２状態とに変化可能に構成されている。
【０１０７】
別実施例の第１および第２可動演出装置Ｎ１,Ｎ２では、図２３(ｂ)に示す如く、前記可動台１００,１００に対して第２表示装置１０３,１０３を、第１表示部１７ａの中央側に近接する端部を支点として離間する端部を前側に変位させた第２姿勢と、図２３(ｃ)に示す如く、前記可動台１００,１００に対して第２表示装置１０３,１０３を、第１表示部１７ａの中央側から離間する端部を支点として近接する端部を後側に変位させた第２姿勢とに切り替えることができる。すなわち、図２３(ｂ)に示すように、第２表示装置１０３を、第１表示部１７ａの中央側に近接する端部を支点として離間する端部を前側に変位させた場合は、該第２表示装置１０３の第２表示部１０３ａに表示されている画像Ｇ２,Ｇ３が前側(遊技者側)に近接するように変位することで迫力のある表示ができる。これに対し、図２３(ｃ)に示すように、第２表示装置１０３を、第１表示部１７ａの中央側から離間する端部を支点として近接する端部を後側に変位させた場合は、該第２表示装置１０３の第２表示部１０３ａに表示されている画像Ｇ２,Ｇ３が後側(遊技者から離間する側)に離間するように変位することで奥行き感のある表示ができる。すなわち、第２表示装置１０３の支点を切り替えて傾動させることで、第１表示部１７ａおよび第２表示部１０３ａ,１０３ａに個々に表示される画像Ｇ１,Ｇ２,Ｇ３により形成される一連画像ＳＧの遠近感を変化させることができ、表示演出の幅を広げて興趣を向上し得る。
【０１０８】
〔変更例〕
本願発明は、前述した実施例の構成に限定されるものではなく、その他の構成を適宜に採用することができる。
(1) 実施例では、第１表示装置における第１表示部の左右両側に第２表示装置を配設したが、該第１表示部の上下両側に第２表示装置を配設して一対の第２表示装置が上下方向に移動(可動)する構成を採用し得る。また、第２表示装置は、第１表示部に沿って該第１表示部の前側を左右方向や上下方向に移動する構成に限らず、斜め方向に移動するものであってもよい。
(2) 実施例では、２つの第２表示装置(可動式の表示装置)を設ける場合で説明したが、第２表示装置(可動式の表示装置)を１つまたは３つ以上設けるものであってもよい。
(3) 実施例では、第１位置の第２表示装置において、第１表示装置における第１表示部の中央側の端部を中心として該第２表示装置を傾動するよう構成したが、第１表示部の中央から離間する端部を中心として第２表示装置を傾動する構成を採用し得る。
(4) 可動式の表示装置を１つとした場合に、該可動式の表示装置を固定式の表示装置の左縁部側(一方の縁部側)と右縁部側(他方の縁部側)との間を移動するよう構成すると共に、該可動式の表示装置おける傾動中心を左右方向の中央に設定し、可動式の表示装置を固定式の表示装置の左縁部側に位置させた状態では左端部側を前側に変位するように傾動させ、可動式の表示装置を固定式の表示装置の右縁部側に位置させた状態では右端部側を前側に変位するように傾動させる構成を採用し得る。
【０１０９】
(5) 実施例では、規制部材を作動部材の動作に連動するよう構成したが、規制部材を別途専用の作動手段によって作動させる構成を採用することができる。
(6) 実施例では、第２表示装置の第２姿勢を１つの場合で説明したが、傾斜角度が異なる複数の第２姿勢を設定し、第２表示部に表示される表示演出に応じて傾斜角度の異なる第２姿勢を選択するようにしてもよい。
(7) 実施例では、駆動機構を、駆動モータの回転を歯車およびラックを介して可動台に伝えて直線的に往復移動するよう構成したが、駆動モータの回転を可動台に伝える機構は、歯車とラックとを用いた機構に限定されるものでなく、リンク手段やベルト、その他各種公知の機構を採用し得る。
(8) 実施例では、第２表示装置を傾動する傾動機構として、カムフォロアとカム孔とによる機構を用いて作動部材を移動するよう構成したが、駆動モータの回転を作動部材に伝える機構は、ラックとピニオン、リンク手段、ベルト等、その他各種公知の機構を採用し得る。
(9) 実施例では、第２表示装置を傾動する傾動機構を定位置に固定配置した場合で説明したが、可動台に設けた傾動機構によって第２表示装置を傾動させる構成を採用し得る。この構成によれば、第２表示装置を任意の位置で傾動させることができ、興趣を向上し得る。
【０１１０】
(10) 実施例では、第２表示装置が第１位置および第２位置で停止した状態で該第２表示部および第１表示装置の第１表示部に個々に表示される画像によって一連画像を形成する場合で説明したが、第２表示装置が移動中においても、第１表示部に表示される画像と第２表示部に表示される画像とによって一連画像が形成される構成を採用し得る。すなわち、表示制御手段により決定される表示パターンに、第２表示装置が移動中に第２表示部に表示される画像と第１表示部に表示される画像との繋ぎ目が適正となる表示となる移動用表示パターンが設定されていればよい。例えば、第２表示装置の移動に伴って第１表示部に表示される画像と第２表示部に表示される画像とによって形成される一連画像が縮小したり拡大するように表示することができる。
(11) 実施例では、パチンコ機の全体を制御するメイン制御手段と、該メイン制御手段からの制御信号に基づいて各制御対象を制御するサブ制御手段とを設け、該サブ制御手段が可動演出装置の動作や第１および第２表示装置の表示内容(画像)を制御するよう構成したが、パチンコ機を構成する全ての装置を１つの制御手段によって制御する構成を採用し得る。すなわち、メイン制御手段が、サブ制御手段(統括制御手段および表示制御手段)の機能を全て備えるようにすればよい。すなわち、メイン制御手段に、複数の表示部に画像を表示するように複数の表示装置を制御する表示制御手段としての機能を備えさせるようにしてもよい。
(12) 実施例では、統括制御手段によって可動演出装置の動作を制御すると共に、表示制御手段によって各表示装置の表示内容(画像)を制御するようにしたが、表示制御手段の機能の全てを統括制御手段に備えるようにしたり、または統括制御手段の機能の全てを表示制御手段に備えるようにすることができる。すなわち、統括制御手段に、複数の表示部に画像を表示するように複数の表示装置を制御する表示制御手段としての機能を備えさせるようにしてもよい。
(13) 遊技機としては、パチンコ機に限られるものではなく、アレンジボール機や遊技媒体としたパチンコ球やメダルを用いたスロットマシン等、その他各種の遊技機であってもよい。
【符号の説明】
【０１１１】
１７ 第１表示装置
１７ａ 第１表示部(表示部)
４４ 表示制御手段
５５ 可動台
５６ 第２表示装置
５６ａ 第２表示部(表示部)
６０ 可動台用案内レール(第１案内レール)
６１ 表示用案内レール(第２案内レール)
６９ 規制突起(規制部)
７０ 係合突起(係合部)
７１ 駆動機構
７８ 傾動機構
８０ 作動部材
８９ 規制部材
Ｇ１ 第１画像(画像)
Ｇ２ 第２画像(画像)
Ｇ３ 第３画像(画像)
ＳＧ 一連画像(一連の画像)
【図１】
0006284844.tif 000002
【図２】
0006284844.tif 000003
【図３】
0006284844.tif 000004
【図４】
0006284844.tif 000005
【図５】
0006284844.tif 000006
【図６】
0006284844.tif 000007
【図７】
0006284844.tif 000008
【図８】
0006284844.tif 000009
【図９】
0006284844.tif 000010
【図１０】
0006284844.tif 000011
【図１１】
0006284844.tif 000012
【図１２】
0006284844.tif 000013
【図１３】
0006284844.tif 000014
【図１４】
0006284844.tif 000015
【図１５】
0006284844.tif 000016
【図１６】
0006284844.tif 000017
【図１７】
0006284844.tif 000018
【図１８】
0006284844.tif 000019
【図１９】
0006284844.tif 000020
【図２０】
0006284844.tif 000021
【図２１】
0006284844.tif 000022
【図２２】
0006284844.tif 000023
【図２３】
0006284844.tif 000024